(57)【要約】複数の表示パネルを有する表示装置のパネル駆動回路部個数の低減と実装面積の縮小を図ること。第１の表示パネル（４）と第２の表示パネル（５）の２種類の表示パネルを有する表示装置において、第１の表示パネル（４）に駆動回路部を実装し、前記駆動回路部の信号を第１の表示パネル（４）上に設ける電極を介して、第２の表示パネル（５）に伝達し、第１の表示パネル（４）と第２の表示パネル（５）との間に、パネル間スイッチング素子を設け、第２の表示パネル（５）の点灯非点灯の制御をおこなう。
2004029918.tif 000002
【特許請求の範囲】
【請求項１】
第１の電気光学表示媒体、該第１の電気光学表示媒体へ駆動信号を供給するための複数の電極線よりなる第１の電極線群、および前記第１の電気光学表示媒体への駆動信号の供給を制御するアクティブ素子を備えた第１の表示パネルと、
第２の電気光学表示媒体、および該第２の電気光学表示媒体へ駆動信号を供給するための複数の電極線よりなる第２の電極線群を備えた第２の表示パネルと、
前記第１の表示パネルと前記第２の表示パネルとを接続する接続部材と、
を具備し、
前記第１の電極線群に含まれる少なくとも一部の電極線は、前記接続部材を介して前記第２の電極線群の一部または全部の電極線に接続していることを特徴とする表示装置。
【請求項２】
互いに接続されてなる前記第１の表示パネルの電極線と前記第２の表示パネルの電極線との間に、駆動信号の通過、不通過を制御するパネル間スイッチング素子を設けたことを特徴とする請求の範囲第１項に記載の表示装置。
【請求項３】
互いに接続されてなる前記第１の表示パネルの電極線と前記第２の表示パネルの電極線との間に、前記電極線に発生する静電気を分散する保護スイッチング素子を設けたことを特徴とする請求の範囲第１項に記載の表示装置。
【請求項４】
互いに接続されてなる前記第１の表示パネルの電極線と前記第２の表示パネルの電極線との間に、駆動信号の通過、不通過を制御するパネル間スイッチング素子を設けるとともに、該パネル間スイッチング素子と前記第２の表示パネルの電極線との間に、前記電極線に発生する静電気を分散する保護スイッチング素子を設けたことを特徴とする請求の範囲第１項に記載の表示装置。
【請求項５】
前記駆動信号を供給する駆動回路部は、前記第１の表示パネルに接続されていることを特徴とする請求の範囲第１項に記載の表示装置。
【請求項６】
前記駆動信号を供給する駆動回路部は、前記第１の表示パネルおよび前記第２の表示パネルのうち表示領域が小さい方の表示パネルに接続されていることを特徴とする請求の範囲第１項に記載の表示装置。
【請求項７】
前記駆動信号を供給する駆動回路部は、第１の表示パネルと第２の表示パネルとを接続する前記接続部材に設けられていることを特徴とする請求の範囲第１項に記載の表示装置。
【請求項８】
前記駆動信号を供給する駆動回路部は、導電体と接着材とからなる異方性導電フィルムによって接続されていることを特徴とする請求の範囲第５項〜第７項のいずれか一つに記載の表示装置。
【請求項９】
前記第１の表示パネルと前記第２の表示パネルは、それぞれ異なる駆動信号で動作する表示パネルであり、前記パネル間スイッチング素子は、前記第１の表示パネルを駆動するための駆動信号を前記第２の表示パネルを駆動するための信号に変換する信号変換回路を有することを特徴とする請求の範囲第２項または第４項に記載の表示装置。
【請求項１０】
前記第１の表示パネルはアクティブマトリクス型液晶表示パネルであり、前記第２の表示パネルはパッシブマトリクス型液晶表示パネルであり、前記パネル間スイッチング素子は、前記第１の表示パネルを駆動するための駆動信号を前記第２の表示パネルを駆動するための信号に変換する信号変換回路を有していることを特徴とする請求の範囲第２項または第４項に記載の表示装置。
【請求項１１】
前記第１の表示パネルはアクティブマトリクス型液晶表示パネルであり、前記第２の表示パネルは有機ライトエミテッドダイオードよりなる表示パネルであり、前記パネル間スイッチング素子は、前記第１の表示パネルを駆動するための駆動信号を前記第２の表示パネルを駆動するための信号に変換する信号変換回路を有していることを特徴とする請求の範囲第２項または第４項に記載の表示装置。
【請求項１２】
前記第１の表示パネルは有機ライトエミテッドダイオードよりなるアクティブマトリクス型表示パネルであり、前記第２の表示パネルはパッシブマトリクス型液晶表示パネルであり、前記パネル間スイッチング素子は、前記第１の表示パネルを駆動するための駆動信号を前記第２の表示パネルを駆動するための信号に変換する信号変換回路を有していることを特徴とする請求の範囲第２項または第４項に記載の表示装置。
【請求項１３】
前記第１の表示パネルは有機ライトエミテッドダイオードよりなるアクティブマトリクス型表示パネルであり、前記第２の表示パネルはアクティブマトリクス型液晶表示パネルであり、前記パネル間スイッチング素子は、前記第１の表示パネルを駆動するための駆動信号を前記第２の表示パネルを駆動するための信号に変換する信号変換回路を有していることを特徴とする請求の範囲第２項または第４項に記載の表示装置。
【請求項１４】
第３の電気光学表示媒体、および該第３の電気光学表示媒体へ駆動信号を供給するための複数の電極線よりなる第３の電極線群を備えた第３の表示パネルと、
前記第３の表示パネルと前記第１の表示パネルまたは前記第２の表示パネルとを接続する第２の接続部材と、
をさらに具備し、
前記第３の電極線群に含まれる一部または全部の電極線は、前記第２の接続部材を介して前記第１の電極線群の電極線または前記第２の電極線群の電極線に接続していることを特徴とする請求の範囲第１項に記載の表示装置。
【請求項１５】
第４の電気光学表示媒体、および該第４の電気光学表示媒体へ駆動信号を供給するための複数の電極線よりなる第４の電極線群を備えた第４の表示パネルと、
前記第４の表示パネルと前記第１の表示パネル、前記第２の表示パネルまたは前記第３の表示パネルとを接続する第３の接続部材と、
をさらに具備し、
前記第４の電極線群に含まれる一部または全部の電極線は、前記第３の接続部材を介して前記第１の電極線群の電極線、前記第２の電極線群の電極線または前記第３の電極線群の電極線に接続していることを特徴とする請求の範囲第１４項に記載の表示装置。
【発明の詳細な説明】
【技術分野】  本発明は、スイッチング素子を各画素部に設ける、アクティブマトリクス型液晶表示パネルを２個有する表示装置において、第１の表示パネルの基板上に設ける電極を介して、第２の表示パネルの駆動を可能とする表示装置を提供するものである。
さらに第１の基板あるいは第２の基板の少なくとも一方には、第２の表示パネルの表示の有無に基づいて、第１の基板上に設ける電極と第２の基板上に設ける電極間の信号の通過、不通過を制御するパネル間スイッチング素子を設けることにより、不必要な表示パネルの表示をセーブし、消費電力を低減する構成を提供する。
また、第１の表示パネルと第２の表示パネルのパネル間相互接続部の近傍には、第１の表示パネルまたは第２の表示パネルを構成する基板のいずれかに、静電気による液晶の劣化、あるいは、スイッチング素子の劣化を防止する保護素子を有する表示装置を提供するものである。
また、本発明は、アクティブマトリクス型表示パネルとパッシブマトリクス型表示パネルを有する表示装置において、いずれか一方の駆動方式の表示パネルを駆動する信号を変換して他方の駆動方式の表示パネルの駆動を可能とする表示装置を提供するものである。
また、本発明は、液晶表示パネルと有機ライトエミテッドダイオード（有機ＬＥＤ）すなわち有機エレクトロルミネッセンス（有機ＥＬ）を利用した表示パネル（以下、有機ＬＥＤ表示パネルとする）を有する表示装置において、液晶表示パネルを駆動する信号を変換して有機ＬＥＤ表示パネルの駆動を可能とする表示装置、または有機ＬＥＤ表示パネルを駆動する信号を変換して液晶表示パネルの駆動を可能とする表示装置を提供するものである。
【背景技術】  現在、液晶表示パネルは、軽量、低消費電力、反射型で表示が可能であるため、携帯情報機器に広く利用されている。表示内容が多岐に渡るため、マトリクス型の液晶表示パネルが主流である。特に、表示品質の面から各画素毎にスイッチング素子を形成したアクティブマトリクス型液晶表示パネルの開発が進んでいる。
たとえば、アクティブマトリクス型液晶表示パネルは、第１の基板上に、ｘ方向に配置するゲート電極とｙ方向に配置するソース電極と、その交点に配置する薄膜トランジスター（ＴＦＴ）素子を設け、薄膜トランジスターのドレイン電極に表示電極を接続した構成となっている。
薄膜トランジスターを設ける第１の基板と対向する第２の基板上にはコモン電極が設けられており、第１の基板と第２の基板の間隙に液晶が封入されることにより、アクティブマトリクス型液晶表示パネルが形成される。
ゲート電極にオン電圧を印加し、ソース電極にデーター信号を印加し、表示電極とコモン電極間に所定の電圧差を設けることにより液晶に所定の電圧が印加され、オン表示がおこなわれる。
逆に、ゲート電極にオフ電圧を印加し、スイッチング素子をオフ状態とすることにより、ソース電極にデーター信号を印加しても、表示電極とコモン電極間に電圧差が発生しないため、オン表示、あるいはオフ表示を維持することが可能となる。以上により、時間的に表示の内容をゲート電極に印加するオン、オフ信号と、ソース電極に印加する信号を時間的に切り換えることにより、動画表示をおこなうことが可能となる。
また、携帯電話器には、インターネット接続表示内容、メール表示内容の情報量の増加に伴い、表示画面を大きくするとともに、非使用時のボタンの誤操作を防止するために、折りたたみ式の携帯電話器がある。折りたたみ式携帯電話器では、折りたたんだ状態では、主液晶表示パネルの表示内容を認識することができないため、表蓋に副液晶表示パネルを設ける形態が取られている。副液晶表示パネルを設けることにより、折りたたんだ状態でも限定された情報を表示することが可能となる。
折りたたみ式の携帯電話器の構造を第１図と第２図とを用いて説明する。第１図は、携帯電話器の蓋部を携帯電話器本体から開き、主液晶表示パネル（第１の表示パネル）に文字や画像を表示している状態を示す立体模式図である。第２図は、携帯電話器の蓋部を閉め、小型化し、副液晶表示パネル（第２の表示パネル）に文字や画像を表示し、主液晶表示パネルを非表示にしている状態を示す立体模式図である。
第１図に示すように、携帯電話器本体１０２には、数字または文字入力、モード選択、電源スイッチ、画面スクロール等をおこなう複数の入力ボタン１０４と、マイク１０７が設けられている。携帯電話器蓋部１０１には、第１の表示パネル４と第２の表示パネル５が背中合わせに配置されており、第１の表示パネル４実装側にスピーカー１０６が設けられている。
第１の表示パネル４には、第１の表示パネル４表示内容として、通信内容、メール内容、インターネット情報、電話番号、電池残量、受信状況、使用者の必要な情報が表示される。
携帯電話器裏蓋１０１には、アンテナ１０３と撮像素子１０８が設けられている。携帯電話器裏蓋１０１を閉じた状態では、第２の表示パネル５が表示状態となり、必要に応じてバックライト（図示せず）が点灯する。第２の表示パネル５には、撮像素子１０８の撮影状況、メール受信情報、受信状況、電池残量、携帯電話器の情報が表示される。一般に、第１の表示パネル４に比較して、第２の表示パネル５の表示容量は少ない。
しかし、主液晶表示パネルを構成する第１の表示パネル４には、駆動回路部が必要であり、さらに、副液晶表示パネルを構成する第２の表示パネル５にも駆動回路部が独立して必要となる。独立する駆動回路部を設けるため、駆動回路部のコストが必要となり、さらに、駆動回路部の実装コストやスペースが必要となる。
そのため、第１の表示パネル４あるいは第２の表示パネル５のいずれか一方に駆動回路部（ドライバー）を接続し、コモン電極については、駆動回路部から第１の表示パネル４と第２の表示パネル５にフレキシブルプリント基板（ＦＰＣ）を用いて直接接続し、セグメント電極については、第１の表示パネル４の電極を介して、第２の表示パネル５のセグメント電極に信号を印加する方式が検討されている（たとえば、特許文献１（特開２００１−６７０４９号公報（第６−７頁、第３図））参照）。
上記特許文献１では、各画素部にスイッチング素子を設けていないため、セグメント電極は第１の表示パネル４の表示領域を介して第２のパネル５へ接続されているが、コモン電極は第１の表示パネル４の表示領域を迂回して第２のパネル５へ接続されている。本発明の特徴とするアクティブマトリクス型液晶表示パネルを用いる場合には、第１の表示パネル４の電極の一部のみが、第２の表示パネル５の電極に接続する構成を採用しても、第１の表示パネル４の電極の液晶による負荷の大小が発生しても、第２の表示パネルの表示には影響がない。同様に、第２の表示パネル５の電極の液晶による負荷の大小が発生しても、第１の表示パネルの表示には影響がない。
また、第１の表示パネル４と第２の表示パネル５を一体の駆動回路部で駆動し、第１の表示パネル４と第２の表示パネル５間をパネル間接続部で接続する構成は公知である（たとえば、特許文献２（特開２００１−２８２１４５号公報（第３−４頁、第１図））参照）。しかし、特許文献２では、第２の表示パネル５と駆動回路部との接続電極をどのように接続するか、あるいは、第１の表示パネル４の列電極または行電極を第２の表示パネル５にどのように接続するかということについての開示はない。そのため、本発明が意図する第１の表示パネル４の表示領域に使用する電極を延伸して第２の表示パネル５に行電極と列電極とも接続し、駆動回路部の出力数の減少をおこなうこと、さらに、第１の表示パネル４と第２の表示パネル５間に、パネル間スイッチング素子を設けることについては、上記特許文献２にはまったく開示されていない。
従来例の構造を第４１図を用いて説明する。第４１図は、二つの液晶表示パネルが一つの駆動回路部に連結された状態を示す構成図である。従来例に示す携帯電話器は、制御信号ブロック３０、駆動回路部３１、第１の表示パネル４と第２の表示パネル５とからなる。信号電極ライン（ｃ＿）を共通にして前記一つの駆動回路部３１が、第１の表示パネル４と第２の表示パネル５を駆動する。
すなわち、前記駆動回路部３１は、６２個の信号電極（ｃ＿１〜ｃ＿６２）と、１００個の走査電極（ｒ＿１〜ｒ＿１００）の駆動を制御して、システムコントローラから印加される制御信号にしたがって、第１および第２の表示パネル５４，５に目的の表示をおこなう。
前記第１の表示パネル４は、前記駆動回路部３１の６２個の信号電極（ｃ＿１〜ｃ＿６２）にそれぞれ接続される６２個の信号電極と、前記１００個の走査電極（ｒ＿１〜ｒ＿１００）のうちｒ＿１からｒ＿６１にそれぞれ接続される６１個の走査電極とを備えている。したがって、第１の表示パネル４は、６２×６１のマトリクス画素部を有する。
前記第２の表示パネル５は、前記駆動回路部３１の６２個の信号電極（ｃ＿１〜ｃ＿６２）にそれぞれ接続される６２個の信号電極と、前記１００個の走査電極（ｒ＿１〜ｒ＿１００）のうちｒ＿６２からｒ＿１００にそれぞれ接続される３９個の走査電極とを備えている。したがって、第２の表示パネル５は、６２×３９のマトリクス画素部を有する。
駆動回路部３１からの信号電極（ｃ＿１〜ｃ＿６２）と走査電極（ｒ＿１〜ｒ＿１００）は、ＦＰＣ３５を介して第１の表示パネル４に接続され、さらにＦＰＣ４３を介して第２の表示パネル５に接続されている。
従来例には、走査電極を共通にして、前記一つの駆動回路部３１が、第１の表示パネル４と第２の表示パネル５とを駆動する構成も開示されている。
しかし、従来例のように、パッシブマトリクス型の場合には、第１の表示パネル４の電極の一部を第２の表示パネル５の電極に接続すると、第２の表示パネル５と接続する電極の負荷が大きくなるため、接続していない電極に比較して、信号の立ち上り、立ち下り、電圧に差が発生する。その結果、表示の明暗に差が発生する。さらに、第１の表示パネル４の表示が、表示内容に依存して、明暗に差が発生する、いわゆるクロストークが発生するという問題点がある。
さらに、第２の表示パネル５を非表示とする場合にも、第１の表示パネル４の電極と第２の表示パネル５の電極とを低抵抗接続しているため、第２の表示パネル５に信号が伝達してしまう。そのため、第２の表示パネル５で電力消費が発生するという問題点がある。
また、第１の表示パネル４で発生する静電気が、第１の表示パネル４の電極を介して、第２の表示パネル５まで達するため、第２の表示パネル５の表示品質まで低下するという問題点がある。
さらに、上記従来例は、第１の表示パネル４に設ける駆動回路部を利用して、第２の表示パネル５を駆動する場合に、第１の表示パネル４の表示領域に迂回部を設け、第１の表示パネル４上に設ける電極を介して、第２の表示パネル５の電極と接続する点について、何ら示唆していない。
また、第１の表示パネル４と第２の表示パネル５間をパネル間相互接続部材、たとえばフレキシブルプリント基板により接続する場合には、バックライトユニットの構成に工夫が必要である。さらに、特に、パネル間相互接続部材がバックライトユニットの均一性を阻害することを防止する必要がある。
また、第１の表示パネル４と第２の表示パネル５とが異なるタイプの表示パネルである場合、たとえば第１の表示パネル４が液晶表示パネルであり、第２の表示パネル５が有機ＬＥＤ表示パネルである場合、液晶表示パネルの駆動信号を有機ＬＥＤ表示パネルの駆動に適した信号に変換して有機ＬＥＤ表示パネルに供給する必要がある。第１の表示パネル４が有機ＬＥＤ表示パネルであり、第２の表示パネル５が液晶表示パネルである場合も同様である。
また、第１の表示パネル４と第２の表示パネル５とで駆動方式が異なる場合、たとえば第１の表示パネル４がアクティブマトリクス方式であり、第２の表示パネル５がパッシブマトリクス方式である場合（その逆の場合もある）、第１の表示パネル４の駆動信号を第２の表示パネル５の駆動に適した信号に変換して第２の表示パネル５に供給する必要がある。
本発明は、かかる点に着目しその目的とするところは、第１の表示パネルと第２の表示パネルを第１の表示パネルに接続する駆動回路部により駆動をおこなう表示装置において、第１の表示パネルの表示内容、あるいは第２の表示パネルの表示内容に依存することなく、表示品質が良好で、消費電力を小さく抑え、静電気に対する保護も備えることである。
また、本発明の他の目的は、第１の表示パネルと第２の表示パネルを第１の表示パネルに接続する駆動回路部により駆動をおこなう表示装置において、一方の表示パネルが液晶表示パネルであり、もう一方の表示パネルが有機ＬＥＤ表示パネルである場合に、同じ駆動回路部により両方の表示パネルを駆動することである。
また、本発明の他の目的は、第１の表示パネルと第２の表示パネルを第１の表示パネルに接続する駆動回路部により駆動をおこなう表示装置において、一方の表示パネルがアクティブマトリクス方式の表示パネルであり、もう一方の表示パネルがパッシブマトリクス方式の表示パネルである場合に、同じ駆動回路部により両方の表示パネルを駆動することである。
【発明の開示】
上記の目的を解決するために本発明は、以下の表示パネルを採用する。
本発明にかかる表示装置は、第１の電気光学表示媒体、該第１の電気光学表示媒体へ駆動信号を供給するための複数の電極線よりなる第１の電極線群、および前記第１の電気光学表示媒体への駆動信号の供給を制御するアクティブ素子を備えた第１の表示パネルと、第２の電気光学表示媒体、および該第２の電気光学表示媒体へ駆動信号を供給するための複数の電極線よりなる第２の電極線群を備えた第２の表示パネルと、前記第１の表示パネルと前記第２の表示パネルとを接続する接続部材と、を具備し、前記第１の電極線群に含まれる少なくとも一部の電極線が、前記接続部材を介して前記第２の電極線群の一部または全部の電極線に接続していることを特徴とする。
また、本発明にかかる表示装置は、さらに、互いに接続されてなる前記第１の表示パネルの電極線と前記第２の表示パネルの電極線との間に、駆動信号の通過、不通過を制御するパネル間スイッチング素子を設けたことを特徴とする。
また、本発明にかかる表示装置は、さらに、互いに接続されてなる前記第１の表示パネルの電極線と前記第２の表示パネルの電極線との間に、前記電極線に発生する静電気を分散する保護スイッチング素子を設けたことを特徴とする。
また、本発明にかかる表示装置は、さらに、互いに接続されてなる前記第１の表示パネルの電極線と前記第２の表示パネルの電極線との間に、駆動信号の通過、不通過を制御するパネル間スイッチング素子を設けるとともに、該パネル間スイッチング素子と前記第２の表示パネルの電極線との間に、前記電極線に発生する静電気を分散する保護スイッチング素子を設けたことを特徴とする。
また、本発明にかかる表示装置は、さらに、前記駆動信号を供給する駆動回路部が、前記第１の表示パネルに接続されていることを特徴とする。
また、本発明にかかる表示装置は、さらに、前記駆動信号を供給する駆動回路部が、前記第１の表示パネルおよび前記第２の表示パネルのうち表示領域が小さい方の表示パネルに接続されていることを特徴とする。
また、本発明にかかる表示装置は、さらに、前記駆動信号を供給する駆動回路部が、第１の表示パネルと第２の表示パネルとを接続する前記接続部材に設けられていることを特徴とする。
また、本発明にかかる表示装置は、さらに、前記駆動信号を供給する駆動回路部が、導電体と接着材とからなる異方性導電フィルムによって接続されていることを特徴とする。
また、本発明にかかる表示装置は、さらに、前記第１の表示パネルと前記第２の表示パネルが、それぞれ異なる駆動信号で動作する表示パネルであり、前記パネル間スイッチング素子が、前記第１の表示パネルを駆動するための駆動信号を前記第２の表示パネルを駆動するための信号に変換する信号変換回路を有することを特徴とする。
また、本発明にかかる表示装置は、さらに、前記第１の表示パネルがアクティブマトリクス型液晶表示パネルであり、前記第２の表示パネルがパッシブマトリクス型液晶表示パネルであり、前記パネル間スイッチング素子が、前記第１の表示パネルを駆動するための駆動信号を前記第２の表示パネルを駆動するための信号に変換する信号変換回路を有していることを特徴とする。
また、本発明にかかる表示装置は、さらに、前記第１の表示パネルがアクティブマトリクス型液晶表示パネルであり、前記第２の表示パネルが有機ライトエミテッドダイオードよりなる表示パネルであり、前記パネル間スイッチング素子が、前記第１の表示パネルを駆動するための駆動信号を前記第２の表示パネルを駆動するための信号に変換する信号変換回路を有していることを特徴とする。
また、本発明にかかる表示装置は、さらに、前記第１の表示パネルが有機ライトエミテッドダイオードよりなるアクティブマトリクス型表示パネルであり、前記第２の表示パネルがパッシブマトリクス型液晶表示パネルであり、前記パネル間スイッチング素子が、前記第１の表示パネルを駆動するための駆動信号を前記第２の表示パネルを駆動するための信号に変換する信号変換回路を有していることを特徴とする。
また、本発明にかかる表示装置は、さらに、前記第１の表示パネルが有機ライトエミテッドダイオードよりなるアクティブマトリクス型表示パネルであり、前記第２の表示パネルがアクティブマトリクス型液晶表示パネルであり、前記パネル間スイッチング素子が、前記第１の表示パネルを駆動するための駆動信号を前記第２の表示パネルを駆動するための信号に変換する信号変換回路を有していることを特徴とする。
また、本発明にかかる表示装置は、さらに、第３の電気光学表示媒体、および該第３の電気光学表示媒体へ駆動信号を供給するための複数の電極線よりなる第３の電極線群を備えた第３の表示パネルと、前記第３の表示パネルと前記第１の表示パネルまたは前記第２の表示パネルとを接続する第２の接続部材と、をさらに具備し、前記第３の電極線群に含まれる一部または全部の電極線が、前記第２の接続部材を介して前記第１の電極線群の電極線または前記第２の電極線群の電極線に接続していることを特徴とする。
また、本発明にかかる表示装置は、さらに、第４の電気光学表示媒体、および該第４の電気光学表示媒体へ駆動信号を供給するための複数の電極線よりなる第４の電極線群を備えた第４の表示パネルと、前記第４の表示パネルと前記第１の表示パネル、前記第２の表示パネルまたは前記第３の表示パネルとを接続する第３の接続部材と、をさらに具備し、前記第４の電極線群に含まれる一部または全部の電極線が、前記第３の接続部材を介して前記第１の電極線群の電極線、前記第２の電極線群の電極線または前記第３の電極線群の電極線に接続していることを特徴とする。
第１の表示パネルの電極線と第２の表示パネルの電極線とを接続部材を介して接続し、第１の表示パネルを駆動する信号を利用して第２の表示パネルを駆動する構成を採用することにより、駆動回路部の実装数を低減することができる。また、第１の表示パネルを駆動する信号を第２の表示パネルを駆動するのに適した信号に変換することにより、アクティブマトリクス型液晶表示パネルの駆動信号を利用して、パッシブマトリクス型液晶表示パネルや有機ライトエミテッドダイオードよりなる表示パネルを駆動することができる。また、有機ライトエミテッドダイオードよりなるアクティブマトリクス型表示パネルの駆動信号を利用して、パッシブマトリクス型液晶表示パネルやアクティブマトリクス型液晶表示パネルを駆動することができる。
主液晶表示パネルである第１の表示パネルと、副液晶表示パネルである第２の表示パネルをともにアクティブマトリクス型液晶表示パネルとする。さらに、第１の表示パネルに設ける電極を介して、第１の表示パネルに実装する駆動回路部からの信号を第２の表示パネルに伝達する構成を採用することにより、駆動回路部の実装数を低減することができる。さらに、従来のパッシブマトリクス型液晶表示パネルの場合に発生していた、第２の表示パネルの表示内容により第１の表示パネルの表示品質が低下することなく、良好な表示品質を達成することが可能となる。
駆動回路部を第１の表示パネルあるいは第２の表示パネルのいずれか一方にのみ設けるため、駆動回路部の実装部分を液晶表示パネルの外周部分から省くことができる。そのため、液晶表示パネルの表示領域から周縁までの長さを小さくすることが可能となり、いわゆる狭額縁化が可能となる。したがって、小型化、薄型化をおこなうことができる。さらに、小型液晶表示装置のコストの大きな比率を占める駆動回路部の一部を省くことが可能なため、コスト削減にも効果がある。
第１の表示パネルに実装する駆動回路部と第２の表示パネルの電極との電気的接続は、第１の表示パネルに設ける電極と第１の表示パネルと第２の表示パネルの間に設けるパネル間相互接続部材としてフレキシブルプリント基板（ＦＰＣ）、金属細線電極（ワイヤーボンディング、スプリングプローブ）、導電性ゴムコネクタのいずれか一つまたは二つ以上を組み合わせて利用することにより、第２の表示パネルに駆動回路部を独自に設ける必要がなく、実装スペースの縮小、薄型、さらに、駆動回路部と実装コストの低減が可能となる。
特に、フレキシブルプリント基板を利用し、バックライトユニットを迂回して第１の表示パネルと第２の表示パネルをパネル間相互接続することにより、バックライトの光量の均一化向上、さらには、携帯電話器への組み込みを容易にできる。
第１の表示パネルと第２の表示パネルとの電気接続をおこなう部分に、第２の表示パネルの表示のオン、オフをおこなうパネル間スイッチング素子を設けることにより、第２の表示パネルの表示が不必要な場合に、表示をオフにして、消費電力を低減することが可能となる。主液晶表示パネルに比較し、副液晶表示パネルの表示面積、表示画素数を小さくすることで、さらに消費電力を低下させることが可能となる。
また、駆動回路部を実装する液晶表示パネル（第１の表示パネル）に比較し、第２の表示パネルの表示面積、表示画素数を大きくし、第１の表示パネルの表示領域の周囲に複数の電極を設け、第１の表示パネルの表示領域の周囲を迂回する電極を利用して、駆動回路部の信号を第２の表示パネルに伝達する構成を採用し、駆動回路部には、第１の表示パネルのみを駆動する第１の出力ブロックと、第１の表示パネル以外に相当する第２の表示パネルを駆動する第２の出力ブロックの２種類を設け、第２の表示パネルを非点灯とする場合には、第１の出力ブロックのみを動作することで消費する電力を低減することが可能となる。
さらに、第１の表示パネルと第２の表示パネルの間に、パネル間スイッチング素子を設けることにより、第２の表示パネルの表示が不必要な場合には、パネル間スイッチング素子により完全に第２の表示パネルの表示を停止することが可能なため、消費電力を非常に大きく低減することが可能となる。この場合の第１の表示パネルは副液晶表示パネルに相当するため、携帯電話器の蓋を閉じた状態で常時点灯する比率が高いため、携帯電話器の低消費電力化のために非常に有効な構成である。
また、第１の表示パネル、あるいは第２の表示パネルを構成する基板上のいずれかに、静電気による表示パネルの表示品質の低下を防止する保護素子を設ける。第１の表示パネルと第２の表示パネルは、パネル間相互接続部により接続しているため、いずれかの表示パネルで発生する静電気が他の表示パネルの表示品質を低下する要因となるため、本願発明に保護素子を設けることは、従来の液晶表示パネルに保護素子を用いる以上に重要となる。
第１の表示パネルと第２の表示パネルとが、パネル間相互接続部により連結しているため、さらに複数の接続部を設けることは、取り扱い上、静電気発生上の意味からも好ましくないため、駆動回路部は、表示パネルを構成する基板上に実装することが好ましい。
また、第１の表示パネルと第２の表示パネルとの間には、導光板を設ける。薄型のためには、導光板は、第１の表示パネルと第２の表示パネルで共通に使用することが好ましい。パネル間相互接続部は、導光板の断面方向の壁面を迂回して設ける。さらに、パネル間相互接続部は、バックライトユニットの光源部を設けていない部分に設けることにより、パネル間相互接続部が光源部を遮ることなく、バックライトユニットからの光の照射量を均一にすることができる。さらに、パネル間相互接続部をバックライトユニットの一部に接着部材により固定することにより、パネル間相互接続部の固定と安定化が可能となる。
また、導光板の外周の一部に溝を設け、該溝にパネル間相互接続部を配置することにより、パネル間相互接続部の固定と位置決めができる。パネル間相互接続部と導光板との間に、反射部材を設け、導光板を透過する光を再利用する。特に、パネル間相互接続部と導光板との間、および、副液晶表示パネルの外周部に、副液晶表示パネルと同等の反射率を有する反射板を設けることにより、バックライトユニットから主液晶表示パネルへの光の照射量を非常に均一にすることが可能となる。
【図面の簡単な説明】  第１図は、本発明の第１の実施形態における携帯電話器の蓋の開状態を示す立体模式図であり、第２図は、本発明の第１の実施形態における携帯電話器の蓋の平状態を示す立体模式図であり、第３図は、本発明の第１の実施形態における表示パネルモジュール部の一部を示す断面図であり、第４図は、本発明の第１の実施形態における表示パネル部を平面展開した状態を示す平面図であり、第５図は、本発明の第１の実施形態における第１の表示パネルの駆動回路部の一部を拡大する平面図であり、第６図は、本発明の第１の実施形態における第１の表示パネルと第２の表示パネルのパネル間接続部の一部を拡大する平面図であり、第７図は、本発明の第１の実施形態における第１の表示パネルの一部を拡大する断面図であり、第８図は、本発明の第２の実施形態における表示パネル部を平面展開した状態を示す平面図であり、第９図は、本発明の第３の実施形態における表示パネル部を平面展開した状態を示す平面図であり、第１０図は、本発明の第３の実施形態における第１の表示パネルの画素部とパネル間スイッチング素子との一部を示す等価回路図であり、第１１図は、本発明の第４の実施形態における表示パネル部を平面展開した状態を示す平面図であり、第１２図は、本発明の第５の実施形態における表示パネル部を平面展開した状態を示す平面図であり、第１３図は、本発明の第５の実施形態における表示パネルモジュール部の一部を示す断面図であり、第１４図は、本発明の第５の実施形態における第１の表示パネルの画素部とパネル間スイッチング素子と保護素子との一部を示す等価回路図であり、第１５図は、本発明の第５の実施形態における携帯電話器のシステムブロック図であり、第１６図は、本発明の第１の実施形態における表示パネル部を平面展開した状態の他の例を示す概略平面図であり、第１７図は、本発明の第６の実施形態における表示パネル部を平面展開した状態を示す要部平面図であり、第１８図は、本発明の第７の実施形態における表示パネル部を平面展開した状態を示す要部平面図であり、第１９図は、本発明の第７の実施形態における表示パネル部を平面展開した状態を示す概略平面図であり、第２０図は、本発明の第７の実施形態における表示パネルモジュール部の一部を示す断面図であり、第２１図は、本発明の第８の実施形態における表示パネル部を平面展開した状態を示す概略平面図であり、第２２図は、本発明の第９の実施形態における表示パネル部を平面展開した状態を示す要部平面図であり、第２３図は、本発明の第９の実施形態における表示パネル部を平面展開した状態を示す概略平面図であり、第２４図は、本発明の第１０〜第１３の実施形態における表示パネル部を平面展開した状態を模式的に示す平面図であり、第２５図は、本発明の第１０の実施形態における表示パネル間の信号変換について説明するための波形図であり、第２６図は、本発明の第１０の実施形態における表示パネル間の信号変換をおこなうパネル間スイッチング素子の概略構成を示すブロック図であり、第２７図は、本発明の第１０の実施形態における表示パネル間の信号変換をおこなうパネル間スイッチング素子の概略構成を示すブロック図であり、第２８図は、���発明の第１１以降の実施形態における有機ＬＥＤ表示パネルの一部を拡大する断面図であり、第２９図は、本発明の第１１の実施形態における表示パネル間の信号変換について説明するための波形図であり、第３０図は、本発明の第１１の実施形態における表示パネル間の信号変換をおこなうパネル間スイッチング素子の概略構成を示すブロック図であり、第３１図は、本発明の第１１の実施形態における表示パネル間の信号変換をおこなうパネル間スイッチング素子の概略構成を示すブロック図であり、第３２図は、本発明の第１２の実施形態における表示パネル間の信号変換について説明するための波形図であり、第３３図は、本発明の第１２の実施形態における表示パネル間の信号変換をおこなうパネル間スイッチング素子の概略構成を示すブロック図であり、第３４図は、本発明の第１２の実施形態における表示パネル間の信号変換をおこなうパネル間スイッチング素子の概略構成を示すブロック図であり、第３５図は、本発明の第１３の実施形態における表示パネル間の信号変換について説明するための波形図であり、第３６図は、本発明の第１３の実施形態における表示パネル間の信号変換をおこなうパネル間スイッチング素子の概略構成を示すブロック図であり、第３７図は、本発明の第１３の実施形態における表示パネル間の信号変換をおこなうパネル間スイッチング素子の概略構成を示すブロック図であり、第３８図は、本発明の第１４の実施形態における表示パネル部を平面展開した状態を示す概略平面図であり、第３９図は、本発明の第１５の実施形態における表示パネル部を平面展開した状態を示す概略平面図であり、第４０図は、本発明の第１５の実施形態における携帯電話器の蓋の開状態を示す立体模式図であり、第４１図は、従来技術における表示パネル部を平面展開した状態を示す平面図である。
【発明を実施するための最良の形態】  以下に添付図面を参照して、この発明にかかる表示装置の好適な実施の形態を詳細に説明する。
（二つの表示パネル間の電極配線構造）
＜第１の実施形態＞
以下に本発明を実施するための最良の形態における表示装置について図面を参照しながら説明する。第１の表示パネル４が主液晶表示パネルであり、第２の表示パネル５が副液晶表示パネルであり、第２の表示パネル５のすべての電極は、第１の表示パネル４の液晶層に対向して配置する電極を介している。さらに、該第２の表示パネル５の電極は、第１の表示パネル４との間に設けるパネル間相互接続部により第１の表示パネル４の電極と接続している。第１図は、本発明の第１の実施形態における表示装置の上蓋を開いた状態を示す立体模式図である。第２図は、表示装置の上蓋を閉じた状態を示す立体模式図である。第３図は、第２図のＡ−Ａ線における表示パネルブロックの部分を示す断面図である。第４図は、第３図を平面展開した平面図である。第５図は、第１の表示パネル４の駆動回路部の一部を拡大する平面図である。第６図は、第１の表示パネル４と第２の表示パネル５との接続部の一部を拡大する平面図である。以下に、第１図と第２図と第３図と第４図と第５図と第６図と第７図とを交互に用いて第１の実施形態を説明する。
つぎに第１図と第２図を用いて、携帯電話器の構造を説明する。第１図と第２図に示す携帯電話器は、従来例で既に説明している、折りたたみ式の携帯電話器である。第１図は、携帯電話器の蓋部を携帯電話器本体から開き、主液晶表示パネル（第１の表示パネル４）を表示している状態を示す立体模式図である。第２図は、携帯電話器の蓋部を閉め、小型化し、副液晶表示パネル（第２の表示パネル５）を表示し、主液晶表示パネルは非表示にしている。
第１図に示すように、携帯電話器本体には、数字あるいは、文字入力、モード選択、電源スイッチ、画面スクロール等をおこなう複数の入力ボタン１０４と、マイク１０７とを有する。携帯電話器蓋部には、第１の表示パネル４と第２の表示パネル５が背中合わせに配置してあり、第１の表示パネル４実装側には、スピーカー１０６を有する。
第１の表示パネル４には、第１の表示パネル４表示内容として、通信内容、メール内容、インターネット情報、電話番号、電池残量、受信状況、使用者の必要な情報を表示する。
携帯電話器裏蓋１０１には、アンテナ１０３と撮像素子１０８を有する。携帯電話器裏蓋１０１を閉じた状態では、第２の表示パネル５を表示し、必要に応じてバックライト（図示せず）を点灯する。第２の表示パネル５には、撮像素子１０８の撮影状況、メール受信情報、受信状況、電池残量、携帯電話器の情報を表示する。第１の表示パネル４に比較して、第２の表示パネル５の表示容量は少なくしてある。
第３図は、第１の表示パネル４と第２の表示パネル５の構造と、第１の表示パネル４と第２の表示パネル５を電気的に接続するパネル間相互接続部、および、第１の表示パネル４に外部回路からの信号を印加するための、フレキシブルプリント基板（ＦＰＣ）を実装している図面である。第１の表示パネル４と第２の表示パネル５は低消費電力化のために、携帯電話器を使用する外部環境からの光を利用する反射型液晶表示パネルである。
第１の基板１上には、第７図に示すように、モリブデンを含むクロム膜からなる第３の電極３であるゲート電極７１とゲート電極７１上には、窒化シリコン膜からなるゲート絶縁膜７２を設ける。ゲート絶縁膜７２上には、アモルファスシリコン（ａ−Ｓｉ）膜からなる半導体層７３を設ける。半導体層７３上には、クロム膜からなる第１の電極２であるソース電極７５とドレイン電極７６とを設ける。第１の電極２としてのソース電極７５とドレイン電極７６と、半導体層７３との間は、不純物イオンをドーピングする不純物ドープ層７４を設ける。以上の構成により薄膜トランジスターを構成する。
薄膜トランジスター上には、素子特性の変化を防止するために、窒化シリコン膜からなるパッシベーション膜８３を設ける。さらに、パッシベーション膜８３上には、表面に凹凸を有する凹凸絶縁膜７８を設ける。凹凸絶縁膜７８上には、反射膜としても機能する表示電極８１をアルミニウム膜にて形成する。表示電極８１とドレイン電極７６との電気的接続をおこなうために、パッシベーション膜８３と凹凸絶縁膜７８とには、導通開口部７７を設ける。
以上の第１の基板１と対向する第２の基板６上には、カラーフィルタを設ける。カラーフィルタは、赤カラーフィルタ３８と緑カラーフィルタ３９と青カラーフィルタ（図示せず）を有し、さらに、カラーフィルタの周囲には、遮光性を有するブラックマトリクス１８を設ける。カラーフィルタ上には、カラーフィルタ保護膜６１を設ける。さらに、カラーフィルタ保護膜６１上には、マトリクス状に配置する複数の表示電極８１群からなる表示領域を覆うように、透明導電膜からなる第２の電極７を設ける。
第１の基板１と第２の基板６とは、第１のシール部１４により所定の間隙を設けて貼り合わせ、その間に第１の液晶層９を充填してある。第１の液晶層９に面する面には、第１の液晶層９を所定の方向に揃えるために、配向膜（図示せず）を設けている。
第２の基板６の第１の液晶層９と反対側の面には、第１の位相差板２１と第１の偏光板２０を設けている。第１の位相差板２１は、一枚でもよいし、複数枚を積層したものでもよい。
なお、第７図において、４７はパネル入力ＦＰＣ上電極であり、８５はＩＣバンプであり、８７はＩＣ実装用導電粒であり、８８はＦＰＣ実装用ポリイミド樹脂であり、８９はＦＰＣ実装用導電粒であり、９０はＦＰＣ補強部材、５９は外部入力パッド電極、３５はフレキシブルプリント基板、３１は駆動回路部である。
つぎに、第４図に代表的な第１の電極２と第３の電極３とを示す。第４図において、２５は第１のパネル画素部であり、２６は第２のパネル画素部である。第１の電極２からなるソース電極は、１本目のｃ＿１から５０本目のｃ＿５０までを一方の第１の駆動回路部３１に接続し、５１本目のｃ＿５１から１００本目のｃ＿１００までを他方の第１の駆動回路部３１に接続する。ｃ＿６１からｃ＿１００までのソース電極は、第１の表示パネル４の表示領域から、第１のシール部１４を通過し、第１の表示パネル４の一辺の端にまとまり、パネル間ＦＰＣ４３上に設けるパネル間ＦＰＣ上第１の電極４８に第１のパネル間接続部４２の異方性導電性フィルム（ＡＣＦ）により、電気的に接続する。なお、第４図では、ｃ＿２〜ｃ＿４９およびｃ＿６２〜ｃ＿９９のソース電極は省略されている。
また、第３の電極３からなるゲート電極として、１本目のｒ＿１と１０本目のｒ＿１０と３０本目のｒ＿３０と、８０本目のｒ＿８０が図示されており、その他のゲート電極は図示省略されている。ｒ＿１からｒ＿８０までを第２の駆動回路部３４に接続する。ｒ＿１からｒ＿３０までのゲート電極は、第１の表示パネル４の表示領域から、第１のシール部１４を通過し、第１の表示パネル４の一辺の端にまとまり、パネル間ＦＰＣ４３上に設けるパネル間ＦＰＣ上第２の電極４９に第１のパネル間接続部４２の異方性導電性フィルム（ＡＣＦ）により、電気的に接続する。
第１の基板１上に設ける第１の駆動回路部３１と第２の駆動回路部３４には、第１の基板上に設けるフレキシブルプリント基板３５を介して外部回路（図示せず）と接続し、所定の信号、電源を入力する。また、３３は駆動回路接続部である。
また、第３の基板１１上には第１の基板１と同様に薄膜トランジスター等を設け、第４の基板１６上には第２の基板６と同様にカラーフィルタおよび、対向電極として第４の電極１７等を設け、第３の基板１１と第４の基板１６とで第２の表示パネル５を構成する。第２の表示パネル５は、パネル間ＦＰＣ４３に設ける電極と第２のパネル間接続部４６とにより、第１の表示パネル４のｒ＿１と第２の表示パネル５のｒ＿１を電気的に接続をおこなう。同様に、ｒ＿１０とｒ＿１０、ｒ＿３０とｒ＿３０というように、対応するゲート電極同士を電気的に接続する。また、第１の表示パネル４のｃ＿６１と第２の表示パネル５のｃ＿６１、ｃ＿１００とｃ＿１００というように、対応するソース電極同士を電気的に接続する。
本実施の形態では、第１の表示パネル４と第２の表示パネル５とを電気的に接続するパネル間相互接続部の構造にも特徴があるため、第５図および第６図を用いて説明する。第５図は、第４図のＸの部分の拡大平面図であり、第６図は、第４図のＹの部分の拡大平面図である。第５図に示すように、Ｘの部分において、第１の基板１上に設けるソース電極である第１の電極２は、第１の出力パッド配線電極５１に接続し、ゲート絶縁膜および、パッシベーション膜に設ける第１の出力パッド絶縁膜コンタクトホール５２を有し、第１の出力パッド配線電極５１と一部で重なり、かつ電気的に接続する第１の出力パッド電極５３を酸化インジウムスズ（ＩＴＯ）膜にて形成する。
前記第１の出力パッド電極５３は、第１の駆動回路部３１に設けるバンプ電極５０と電気的に接続し、第１の駆動回路部３１からの信号を第１の電極２に印加する。
第１の基板１上には、ソース電極と同一の材料にて形成する第１の入力ＩＣパッド配線電極５４と第１の外部入力パッド配線電極５７とを設ける。第１の入力ＩＣパッド配線電極５４と第１の外部入力パッド配線電極５７とは電気的に接続している。第１の入力ＩＣパッド配線電極５４上には、ゲート絶縁膜および、パッシベーション膜に設ける第１の入力ＩＣパッド絶縁膜コンタクトホール５５を有し、第１の入力ＩＣパッド配線電極５４と一部で重なり、かつ電気的に接続する第１の入力ＩＣパッド電極５６を酸化インジウムスズ（ＩＴＯ）膜にて形成する。
第１の入力ＩＣパッド電極５６は、第１の駆動回路部３１に設けるバンプ電極６０と電気的に接続し、第１の駆動回路部３１へ外部回路（図示せず）からの各種信号、電源電圧の印加、および、昇圧コンデンサ等を接続する。
第１の外部入力パッド配線電極５７上にも、ゲート絶縁膜および、パッシベーション膜に設ける第１の外部入力パッド絶縁膜コンタクトホール５８を有し、第１の外部入力パッド配線電極５７と一部で重なり、かつ電気的に接続する第１の外部入力パッド電極５９を酸化インジウムスズ（ＩＴＯ）膜にて形成する。
第１の外部入力ＩＣパッド電極５９は、フレキシブルプリント基板３５上のＦＰＣ上入力電極３６と接続し、第１の駆動回路部３１へ外部回路（図示せず）からの各種信号、電源電圧の印加、および、昇圧コンデンサ等を接続する。
第６図に示すように、Ｙの部分は、第２の表示パネル５に信号を印加するパッド電極の構成を示す図である。第１の基板１上に設けるソース電極である第１の電極２は、第１のパネル間パッド配線電極６１に接続し、ゲート絶縁膜および、パッシベーション膜に設ける第１のパネル間パッド絶縁膜コンタクトホール６２を有し、第１のパネル間パッド配線電極６１と一部で重なり、かつ電気的に接続する第１のパネル間パッド電極６３を酸化インジウムスズ（ＩＴＯ）膜にて形成する。
第１のパネル間パッド電極６３は、パネル間ＦＰＣ４３上のパネル間ＦＰＣ上第１の電極４８と電気的に接続し、第２の表示パネル５に所定の信号を印加し、第２の表示パネル５の表示をおこなう。
第５図には、図示していないが、第２の駆動回路基板３４へもフレキシブルプリント基板３５より信号を印加し、ゲート電極である第３の電極３の一部をパネル間ＦＰＣ４３の部分まで延伸し、パネル間ＦＰＣ４３を介して、第２の表示パネル５にゲート電極信号を印加する。
以上の説明から明らかなように、第１の基板上に設ける第１の電極からなるソース電極と第３の電極からなるゲート電極は、駆動回路部から第１の表示パネル４のパネル間接続部まで延伸し、パネル間接続部には、パネル間パッド電極を設けている。前記第１の電極と第２の電極は、パネル間ＦＰＣにより、第２の表示パネル５のパネル間接続部のパッド電極に接続し、第２の表示パネル５を構成するソース電極とゲート電極のそれぞれ接続する。
すなわち、第１の表示パネル４を構成するｙ軸方向の第１の電極は、第２の表示パネル５のｙ軸方向の第４の電極に接続し、ｘ軸方向の第３の電極は、第２の表示パネル５のｘ軸方向の第６の電極にそれぞれ接続するため、第１の表示パネル４を全画面表示する場合には、第２の表示パネル５に第１の表示パネル４の一部が表示されることはあるが、表示方向が同一のため、文字等が９０度回転あるいは、１８０度反転することはないため、表示として認識できる。
さらに、第２の表示パネル５を表示する場合には、２個ある第１の駆動回路部３１の一方を非駆動とできるため、消費電力を低減できるため、携帯電話には非常に有効である。また、携帯電話器１００の携帯電話器本体１０２から携帯電話器蓋部１０１の開閉する状況は、ヒンジ１０５あるいは、携帯電話器本体１０２と携帯電話器蓋部１０１の間にプッシュスイッチ等を設けることで簡単に認識できる。携帯電話器蓋部１０１が閉の状態では、第２の表示領域に相当する第１の電極と第２の電極に接続する駆動回路部を駆動することで消費電力を低減できるとともに、駆動回路部の内のさらに、第１の電極と第２の電極の接続するパッド電極の回路ブロックのみを駆動することでさらに消費電力を低減することが可能となる。
本実施の形態のように、第１の表示パネル４の第１の駆動回路部を２個設け、一方の第１の駆動回路部で第２の表示パネル５を駆動し、他方は第２の表示パネル５を駆動するときは停止する構成とすることで消費電力を低減できるので、駆動できるパッド電極数の異なる第１の駆動回路部を複数設け、第１の駆動回路部毎に第２の表示パネル５に対応することも可能となる。
たとえば、第１の表示パネル４の第１の電極本数が１５０本であり、第２の表示パネル５の第４の電極本数が９０本の場合には、一方の第１の駆動回路部は、９０本の出力パッド電極を有し、他方の第１の駆動回路部は、６０本の出力パッド電極とする。
具体的に説明すると、第１６図に示すように、一方の第１の駆動回路部３１（駆動回路部Ｂとする）に第１の電極からなるソース電極の１本目のｃ＿１から６０本目のｃ＿６０までを接続し、６１本目のｃ＿６１から１００本目のｃ＿１００までを他方の第１の駆動回路部３１（駆動回路部Ａとする）に接続する。この構成によれば、第１の駆動回路部３１の駆動回路部Ａにより第２の表示パネル５を駆動するときに駆動回路部Ｂを停止させることができるので、消費電力を減らすことができる。
なお、第１６図では、図が煩雑になるのを避けるため、主要部の構成のみを簡略化して示しており、第１の駆動回路部３１と第２の駆動回路部３４をまとめて駆動回路部としている。また、第１６図では、第１および第２の駆動回路部３１，３４が第１の基板１から離れているが、実際には第１および第２の駆動回路部３１，３４は第１の基板１上に設けられている。
以上の構成により、駆動回路部の個数、実装面積、消費電力の低減が可能となり、表示装置の低コスト化も可能となる。
＜第２の実施形態＞
以下に本発明の第２の実施形態における表示装置について図面を参照しながら説明する。第２の実施形態の特徴は、第１の表示パネル４上に実装する駆動回路部に外部信号を印加するフレキシブルプリント基板と第１の表示パネル４と第２の表示パネル５間に設けるパネル間相互接続部とを一体のフレキシブルプリント基板とする点である。第８図は、第１の表示パネル４と第２の表示パネル５を平面展開した平面図である。以下に、第８図を用いて第２の実施形態を説明する。第１の実施形態と同様な内容、名称には、同一の番号あるいは記号を用いるため、説明を省略するか、簡単にする。
第８図は、第１の実施形態の第４図に相当する別の実施形態を示す平面図である。第２の実施形態も、第１の表示パネル４と第２の表示パネル５は、ともに、各画素部にスイッチング素子を有するアクティブマトリクス型液晶表示パネルを採用している。
第８図には、代表的な第１の電極２と第３の電極３とを示す。第１の電極２からなるソース電極は、１本目のｃ＿１から５０本目のｃ＿５０までを一方の第１の駆動回路部３１に接続し、５１本目のｃ＿５１から１００本目のｃ＿１００までを他方の第１の駆動回路部３１に接続する。ｃ＿６１からｃ＿１００までのソース電極は、第１の表示パネル４の表示領域から、第１のシール部１４を通過し、第１の表示パネル４の一辺の端にまとまり、パネル間ＦＰＣ上に設けるパネル間ＦＰＣ上第１の電極４８に第１のパネル間接続部４２の異方性導電性フィルム（ＡＣＦ）により、電気的に接続する。なお、第８図では、ｃ＿２〜ｃ＿４９およびｃ＿６２〜ｃ＿９９のソース電極は省略されている。
また、第３の電極３からなるゲート電極として、１本目のｒ＿１と１０本目のｒ＿１０と３０本目のｒ＿３０と、８０本目のｒ＿８０が図示されており、その他のゲート電極は図示省略されている。ｒ＿１からｒ＿８０までを第２の駆動回路部３４に接続する。ｒ＿３０からｒ＿８０までのゲート電極は、第１の表示パネル４の表示領域から、第１のシール部１４を通過し、第１の表示パネル４の一辺の端にまとまり、パネル間ＦＰＣ上に設けるパネル間ＦＰＣ上第２の電極４９に第１のパネル間接続部４２の異方性導電性フィルム（ＡＣＦ）により、電気的に接続する。
第１の基板１上に設ける第１の駆動回路部３１と第２の駆動回路部３４には、第１の基板上に設けるフレキシブルプリント基板３５を介して外部回路（図示せず）と接続し、所定の信号、電源を入力する。
また、第３の基板１１上に薄膜トランジスターを設け、第４の基板１６上にカラーフィルタおよび、対向電極として第４の電極１７を有する第２の表示パネル５は、パネル間ＦＰＣに設ける電極と第２のパネル間接続部により、第１の表示パネル４のｒ＿１と第２の表示パネル５のｒ＿１を電気的に接続をおこなう。同様に、ｒ＿３０とｒ＿３０、ｒ＿８０とｒ＿８０というように、対応するゲート電極同士を電気的に接続する。また、第１の表示パネル４のｃ＿６１と第２の表示パネル５のｃ＿６１、ｃ＿１００とｃ＿１００というように、対応するソース電極同士を電気的に接続する。
本実施の形態では、第１の表示パネル４と第２の表示パネル５とを電気的に接続するパネル間相互接続部の構造にも特徴がある。第１の表示パネル４を構成する第１の基板１上に設ける第１の駆動回路部３１と第２の駆動回路部３４とに外部回路（図示せず）から所定の信号を印加するＦＰＣ上入力電極を設けるフレキシブルプリント基板と、さらに、パネル間相互接続部を構成するパネル間ＦＰＣを一体とすることにより、ＦＰＣの実装工程の短縮が可能となる。さらに、ＦＰＣのコスト低減もできる。
さらに、本実施の形態では、第１の表示パネル４のソース電極の方向と第２の表示パネル５のソース電極の方向が９０度異なる方向に配置している。この方向にすることは、第１の駆動回路部３１の一方のみで表示可能なソース電極の本数とゲート電極の本数により、第１の表示パネル４のソース電極の本数と第２の表示パネル５のソース電極の本数の関係、および、ゲート電極の関係により、消費電力の少ない方向の配置と、ＦＰＣの配線面積の関係、さらには、第２の表示パネル５の配線の引き回し面積の関係を最適化することが可能であることを示している。
これについて、つぎのような例を挙げて具体的に説明する。第１の表示パネル４において、第１の電極の本数が１００本であり、５０本の出力を有するＩＣを２個使用する（第１の駆動ＩＣと第２の駆動ＩＣ）。また、第２の電極の本数は８０本であり、１個のＩＣを使用する。この例では、第１の表示パネル４は、横長表示となる。第１の駆動ＩＣの１個を停止させるためには、第２の表示パネル５の一方の電極本数は５０本となる。したがって、たとえば第２の表示パネル５の電極数は、５０本×４０本であるのが適当である。第２の表示パネル５で縦長表示をおこなうには、５０本の電極群を縦方向配置とし、４０本の電極群を横方向配置にするのがよい。そして、グラフィック表示をおこなう場合には、画素は、正方形に近い形状が好ましい。
以上説明したように、第２の表示パネル５の電極本数に応じて、第１の表示パネル４の横方向の配線を第２の表示パネル５の縦方向の配線に接続するのが有効である。そのため、第１の表示パネル４では、走査方向が上から下へ向かう方向となるが、第２の表示パネル５の走査方向は、左から右へ向かう方向となる。表示を観察している者は、走査する周波数が３０Ｈｚ程度以上であれば、上から下へ向かう走査と、左から右へ向かう走査を認識することはできない。同様に、第２の表示パネル５の電極本数に応じて、第１の表示パネル４のどちらの配線を横方向の配線と縦方向の配線に割り振るかということを、消費電力との兼ね合いや、配線を引き回すのに必要なＦＰＣの面積の兼ね合いなどを考慮して決定することができる。
＜第３の実施形態＞
以下に本発明の第３の実施形態における表示装置について図面を参照しながら説明する。第３の実施形態の特徴は、第１の表示パネル４上のパネル間相互接続部近傍に、第２の表示パネル５への信号のオン、オフを制御するパネル間スイッチング素子９１を設ける点である。第９図は、第１の表示パネル４と第２の表示パネル５を平面展開した平面図である。第１０図は、第１の表示パネル４の画素部の一部とパネル間スイッチング素子の一部を示す等価回路図である。以下に、第９図と第１０図とを用いて第３の実施形態を説明する。第１の実施形態と同様な内容、名称には、同一の番号あるいは記号を用いるため、説明を省略するか、簡単にする。
第９図は、第１の実施形態の第４図に相当する別の実施形態を示す平面図である。第３の実施形態も、第１の表示パネル４と第２の表示パネル５は、ともに、各画素部にスイッチング素子を有するアクティブマトリクス型液晶表示パネルを採用している。
第９図には、代表的な第１の電極２と第３の電極３とを示す。第１の電極２からなるソース電極は、１本目のｃ＿１から５０本目のｃ＿５０までを一方の第１の駆動回路部３１に接続し、５１本目のｃ＿５１から１００本目のｃ＿１００までを他方の第１の駆動回路部３１に接続する。ｃ＿６１からｃ＿１００までのソース電極は、第１の表示パネル４の表示領域から、第１のシール部１４を通過し、第１の表示パネル４の一辺の端にまとまり、第２の表示パネル５のソース電極に信号を印加するか、否かを選択可能とするパネル間スイッチング素子９１に接続し、さらに、パネル間ＦＰＣ４３上に設けるパネル間ＦＰＣ上第１の電極４８に第１のパネル間接続部４２の異方性導電性フィルム（ＡＣＦ）により、電気的に接続する。なお、第９図では、ｃ＿２〜ｃ＿４９およびｃ＿６２〜ｃ＿９９のソース電極は省略されている。
また、第３の電極３からなるゲート電極として、１本目のｒ＿１と１０本目のｒ＿１０と３０本目のｒ＿３０と、８０本目のｒ＿８０が図示されており、その他のゲート電極は図示省略されている。ｒ＿１からｒ＿８０までを第２の駆動回路部３４に接続する。ｒ＿１からｒ＿３０までのゲート電極は、第１の表示パネル４の表示領域から、第１のシール部１４を通過し、第１の表示パネル４の一辺の端にまとまり、第２の表示パネル５のゲート電極に信号を印加するか、否かを選択可能とするパネル間スイッチング素子９１に接続し、さらに、パネル間ＦＰＣ４３上に設けるパネル間ＦＰＣ上第２の電極４９に第１のパネル間接続部４２の異方性導電性フィルム（ＡＣＦ）により、電気的に接続する。
第１の基板１上に設ける第１の駆動回路部３１と第２の駆動回路部３４には、第１の基板上に設けるフレキシブルプリント基板３５を介して外部回路（図示せず）と接続し、所定の信号、電源を入力する。
また、第３の基板１１上に薄膜トランジスターを設け、第４の基板１６上にカラーフィルタおよび、対向電極として第４の電極１７を有する第２の表示パネル５は、パネル間ＦＰＣ４３に設ける電極と第２のパネル間接続部４６により、第１の表示パネル４のｒ＿１と第２の表示パネル５のｒ＿１を電気的に接続をおこなう。同様に、ｒ＿１０とｒ＿１０、ｒ＿３０とｒ＿３０というように、対応するゲート電極同士を電気的に接続する。また、第１の表示パネル４のｃ＿６１と第２の表示パネル５のｃ＿６１、ｃ＿１００とｃ＿１００というように、対応するソース電極同士を電気的に接続する。
本実施の形態では、第１の基板１上に、各画素部に設けるスイッチング素子（薄膜トランジスター）を形成する工程で、パネル間スイッチング素子９１を形成している。パネル間スイッチング素子９１と各画素部のスイッチング素子の構成を第１０図の等価回路図を用いて説明する。
第１０図には、第１の表示パネル４表示領域２８とパネル間スイッチング素子９１を形成する領域を示している。まず、第１の表示パネル４表示領域２８は、代表してソース電極のｃ＿６１とｃ＿６２と、ゲート電極ｒ＿１を示す。ソース電極ｃ＿６１には、液晶画素ＬＣ＿６１を有し、ＬＣ＿６１とソース電極ｃ＿６１との間には、薄膜トランジスターＴ＿６１を有する。Ｔ＿６１は、ソース電極ｓ＿６１とドレイン電極ｄ＿６１を有し、スイッチング制御端子として、ゲート電極ｇ＿６１を有する。ゲート電極ｇ＿６１は、第３の電極３であるｒ＿１に接続する。
ソース電極ｃ＿６２には、液晶画素ＬＣ＿６２を有し、ＬＣ＿６２とソース電極ｃ＿６２との間には、薄膜トランジスターＴ＿６２を有する。Ｔ＿６２は、ソース電極ｓ＿６２とドレイン電極ｄ＿６２を有し、スイッチング制御端子として、ゲート電極ｇ＿６２を有する。ゲート電極ｇ＿６２は、第３の電極３であるｒ＿１に接続する。液晶画素は、他方を第２の電極７に接続している。
ソース電極ｃ＿６１は、表示領域の外周部に設けるパネル間スイッチング素子９１に設ける薄膜トランジスターＳＤ＿６１のソース電極に相当するＳＤＳ＿６１に接続する。薄膜トランジスターＳＤ＿６１は、ソース電極ｃ＿６１と、第２の表示パネル５のｃ＿６１に接続するＳＤＤ＿６１と、パネル間スイッチング素子９１に設ける薄膜トランジスターのゲート電極ＳＤＧ＿６１より構成する。
同様に、ソース電極ｃ＿６２は、表示領域の外周部に設けるパネル間スイッチング素子９１に設ける薄膜トランジスターＳＤ＿６２のソース電極に相当するＳＤＳ＿６２に接続する。薄膜トランジスターＳＤ＿６２は、ソース電極ｃ＿６２と、第２の表示パネル５のｃ＿６２に接続するＳＤＤ＿６２と、パネル間スイッチング素子９１に設ける薄膜トランジスターのゲート電極ＳＤＧ＿６２より構成する。
ゲート電極ＳＤＧ＿６１とＳＤＧ＿６２に代表されるパネル間スイッチング素子に設ける薄膜トランジスターのゲート電極は、第１の表示パネル４の信号を第２の表示パネル５に伝達するか否かを制御するパネル間スイッチング素子制御配線ＳＷ＿１に接続する。
以上の説明では、第１の表示パネル４を構成する第１の電極２からなるソース電極に関して説明したが、第１の表示パネル４を構成する第３の電極３からなるゲート電極に関しても同様である。第３の電極３からなるゲート電極は、パネル間スイッチング素子９１を構成する薄膜トランジスターのソース電極に接続する。パネル間スイッチング素子９１を構成する薄膜トランジスターのゲート電極は、パルス間スイッチング素子制御配線ＳＷ＿１に接続する。
以上の構成をパネル間スイッチング素子を採用することにより、第２の表示パネル５に信号を伝達するか否かを、パネル間スイッチング素子制御配線ＳＷ＿１のみで制御することが可能となる。さらに、パネル間スイッチング素子の薄膜トランジスターも第１の表示パネル４を構成する薄膜トランジスターと同時に形成することが可能なため、パネル間スイッチング素子を形成する製造負荷はない。
さらに、第１の表示パネル４の表示領域の周囲に設けることができ、薄膜トランジスターの配線にて回路配線できるため、集積度を大きくすることができる。そのため、パネル間スイッチング素子９１を形成する面積は、非常に小さくすることが可能となる。
さらに、第２の表示パネル５の表示が必要ない場合には、パネル間スイッチング素子の薄膜トランジスターをオフ状態とすることで、ほとんど電力を消費することなく、第２の表示パネル５の消費する電力をゼロとすることができるため、携帯電話器には非常に有効である。
＜第４の実施形態＞
以下に本発明の第４の実施形態における表示装置について図面を参照しながら説明する。第４の実施形態の特徴は、第２の表示パネル５側に、駆動回路部を設ける点である。さらに、第１の表示パネル４には、パネル間スイッチング素子を設ける点である。第２の表示パネル５側に駆動回路部を設け、さらに、パネル間スイッチング素子を設けることで非常に低消電化が可能となる。第１１図は、第１の表示パネル４と第２の表示パネル５を平面展開した平面図である。以下に、第１１図を用いて第４の実施形態を説明する。第３の実施形態と同様な内容、名称には、同一の番号あるいは記号を用いるため、説明を省略するか、簡単にする。
第１１図は、第１の実施形態の第４図に相当する別の実施形態を示す平面図である。第４の実施形態も、第１の表示パネル４と第２の表示パネル５は、ともに、各画素部にスイッチング素子を有するアクティブマトリクス型液晶表示パネルを採用している。
本第４の実施形態では、第２の表示パネル５の構成から説明する。第２の表示パネル５の表示領域は、第４の電極１２からなるソース電極として、ｃ＿６１からｃ＿１００までの４０本の電極から構成する。また、第６の電極からなるゲート電極として、ｒ＿１からｒ＿３０までの３０本の電極から構成する。
第１の表示パネル４の表示領域を構成する第１の電極２からなるソース電極の、ｃ＿１からｃ＿６０までは、第２の表示パネル５の表示領域の外周と、第２のパネル間接続部４６とパネル間ＦＰＣ４３と、第１のパネル間接続部４２を介して、第１の表示パネル４上のソース電極と電気接続する。さらに、第１の基板１上のパネル間スイッチング素子９１を構成する薄膜トランジスターのソース電極を介して、第１の表示パネル４の第１の表示パネル４表示領域のソース電極となる。
第１の表示パネル４のｃ＿６１からｃ＿１００までは、第２の表示パネル５の表示領域のソース電極と、第２のパネル間接続部４６とパネル間ＦＰＣ４３と、第１のパネル間接続部４２を介して、第１の表示パネル４上のソース電極と電気接続する。さらに、第１の基板１上のパネル間スイッチング素子９１を構成する薄膜トランジスターのソース電極を介して、第１の表示パネル４の第１の表示パネル４表示領域のソース電極となる。
すなわち、第１の表示パネル４の表示領域のソース電極は、第２の表示パネル５の外周部の電極に接続するソース電極と、第２の表示パネル５の表示領域に設けるソース電極に接続するソース電極の２種類からなる。いずれのソース電極も第１の表示パネル４の外周部に設けるパネル間スイッチング素子９１を介して接続している。なお、第１１図では、ｃ＿２〜ｃ＿４９およびｃ＿６２〜ｃ＿９９のソース電極は省略されている。
第１の表示パネル４の表示領域を構成する第３の電極３からなるゲート電極ｒ＿３１（図示省略）からｒ＿８０までは、第２の表示パネル５の表示領域の外周と、第２のパネル間接続部４６とパネル間ＦＰＣ４３と、第１のパネル間接続部４２を介して、第１の表示パネル４上のパネル間スイッチング素子９１を構成する薄膜トランジスターのソース電極に接続し、第１の表示パネル４の第１の表示パネル４表示領域のゲート電極となる。
第１の表示パネル４のｒ＿１からｒ＿３０までは、第２の表示パネル５の表示領域のゲート電極と、第２のパネル間接続部４６とパネル間ＦＰＣ４３と、第１のパネル間接続部４２を介して、第１の表示パネル４上のパネル間スイッチング素子９１を構成する薄膜トランジスターのソース電極を介して、第１の表示パネル４の第１の表示パネル４表示領域のゲート電極となる。
すなわち、第１の表示パネル４の表示領域のゲート電極は、第２の表示パネル５の外周部の電極に接続する第１の表示パネル４のゲート電極と、第２の表示パネル５の表示領域に設けるゲート電極に接続する第１の表示パネル４のゲート電極の２種類からなる。いずれのゲート電極も第１の表示パネル４の外周部に設けるパネル間スイッチング素子９１を介して接続している。なお、第１１図では、ｒ＿２〜ｒ＿９、ｒ＿１１〜ｒ＿２９およびｒ＿３１〜ｒ＿７９のゲート電極は省略されている。
以上の構成を採用することにより、第１の表示パネル４に設けるパネル間スイッチング素子９１により、第１の表示パネル４の表示を非常に低消費電力により、オンとオフの制御が可能であり、第１の表示パネル４の表示の必要がない場合には、第１の表示パネル４の表示をオフできるため、非常に低消費電力化することが可能となる。
さらに、第２の表示パネル５には、フレキシブルプリント基板上に駆動回路部３１を実装するチップ・オン・フィルム（ＣＯＦ）１４１を接続する。ＣＯＦ実装を採用することにより、第２の表示パネル５の表示画素数に比較して、第１の表示パネル４の表示画素数を大きくすることによる駆動回路部からの引き回し配線をＣＯＦ１４１上でできるため、第２の表示パネル５のＣＯＦ１４１を接続する第３の基板１１の外形を小さくすることが可能となる。さらに、ＣＯＦ１４１は、第２の基板１１の外形で折り曲げが可能であるため、ＣＯＦ１４１まで含めた外形を小さくすることが可能となり、本願発明には有効である。さらにＣＯＦ１４１上には、第１の駆動回路部３１の昇圧コンデンサ等のチップ部品１４２を搭載できるため、外部回路基板（図示せず）との接続電極本数を低減することが可能となる。
駆動回路部３１からＣＯＦ１４１を介して、第２の表示パネル５の表示領域を介することなく、表示領域が外周部の電極で、第１の表示パネル４の表示領域の電極とすることが可能なため、駆動回路部３１に第２の表示パネル５と第１の表示パネル４の双方の表示領域を制御する回路グループと第１の表示パネル４単独を制御する回路グループを設けることにより、第２の表示パネル５のみを駆動する場合には、第１の表示パネル４を単独で制御する回路グループを停止し、かつパネル間スイッチング素子９１により、第２の表示パネル５の表示領域を制御する回路グループからの信号を遮断することにより、第２の表示パネル５の表示のみの消費電力とすることが可能となる。
第１の表示パネル４を表示する場合には、第２の表示パネル５と第１の表示パネル４の双方の表示領域を制御する回路グループと第１の表示パネル４単独を制御する回路グループの両方を駆動し、さらに、パネル間スイッチング素子９１をオンすることにより、第１の表示パネル４の表示領域を構成するすべてのソース電極とゲート電極とを駆動可能とすることができる。
本実施形態では、パネル間スイッチング素子９１の薄膜トランジスターのパネル間スイッチング素子制御配線は、１本として説明したが、複数本設けることにより、第１の表示パネル４の表示領域を部分的に表示することが可能なため、低消費電力化には有効である。当然本願発明では、パネル間スイッチング素子９１の薄膜トランジスターのパネル間スイッチング素子制御配線を複数本設ける有効性も含んでいる。
＜第５の実施形態＞
以下に本発明の第５の実施形態における表示装置について図面を参照しながら説明する。第５の実施形態の特徴は、第１の表示パネル４上のパネル間相互接続部近傍に、第２の表示パネル５への信号のオン、オフを制御するパネル間スイッチング素子９１を設け、さらに、パネル間スイッチング素子と表示領域のスイッチング素子の静電気による劣化と破損を防止するために保護素子を設ける点である。第１２図は、第１の表示パネル４と第２の表示パネル５を平面展開した平面図である。第１３図は、第１の表示パネル４を主液晶表示パネルとし、第２の表示パネル５を副液晶表示パネルとして携帯電話器に組み込んだ場合のモジュール部を示す断面図であり、第１の実施形態の第３図に相当する図である。第１４図は、スイッチング素子と保護素子の構成を示すブロック回路図である。第１５図は、携帯電話器のシステムブロック図である。以下に、第１２図と第１３図と第１４図と第１５図とを交互に用いて第５の実施形態を説明する。第３の実施形態と同様な内容、名称には、同一の番号あるいは記号を用いるため、説明を省略するか、簡単にする。
第１２図は、第３の実施形態を示す第９図に、第１の表示パネル４と第２の表示パネル５との間に、パネル間スイッチング素子９１と保護素子９２とを設けている点で異なる。さらに、第１の基板１上に設ける第１の駆動回路部３１の一部は、第１の表示パネル４の表示領域の外周部を迂回し、表示領域の電極を介することなく、パネル間スイッチング素子９１と保護素子９２に至る。
第１２図には、代表的な第１の電極２と第３の電極３とを示す。第１の電極２からなるソース電極は、１本目のｃ＿１から６１本目のｃ＿６１までを一方の第１の駆動回路部３１に接続し、６２本目のｃ＿６２（図示省略）から１００本目のｃ＿１００までを他方の第１の駆動回路部３１に接続する。他方の第１の駆動回路部３１のｃ＿１０１からｃ＿１５０までは、第１の表示パネル４の表示領域２８の外周部を迂回して、直接パネル間スイッチング素子９１に至る。なお、第１２図では、ｃ＿２〜ｃ＿４９、ｃ＿５２〜ｃ＿６０、ｃ＿６２〜ｃ＿９９およびｃ＿１０２〜ｃ＿１４９のソース電極は省略されている。
また、第３の電極３からなるゲート電極として、１本目のｒ＿１と１０本目のｒ＿１０と３０本目のｒ＿３０と、８０本目のｒ＿８０が図示されており、その他のゲート電極は図示省略されている。ｒ＿１からｒ＿３０までをパネル間スイッチング素子９１と保護素子９２を介して第２の表示パネル５の第６の電極からなるゲート電極に接続する。
第１の基板１上に設ける第１の駆動回路部３１と第２の駆動回路部３４には、第１の基板１上に設けるフレキシブルプリント基板３５を介して外部回路（図示せず）と接続し、所定の信号、電源を入力する。
また、第３の基板１１上に薄膜トランジスターを設け、第４の基板１６上にカラーフィルタおよび、対向電極として第４の電極１７を有する第２の表示パネル５は、パネル間ＦＰＣ４３に設ける電極と第２のパネル間接続部４６により、第１の表示パネル４のｒ＿１と第２の表示パネル５のｒ＿１を電気的に接続をおこなう。同様に、ｒ＿１０とｒ＿１０、ｒ＿３０とｒ＿３０というように、対応するゲート電極同士を電気的に接続する。また、第１の駆動回路部３１のｃ＿１０１と第２の表示パネル５のｃ＿１０１、ｃ＿１５０とｃ＿１５０というように、対応するソース電極同士を電気的に接続する。
本願発明では、第１の基板１上に、各画素部に設けるスイッチング素子（薄膜トランジスター）を形成する工程で、パネル間スイッチング素子９１と保護素子９２とを形成している。
つぎに、第１３図を用いて第１の表示パネル４を主液晶表示パネルとして利用し、第２の表示パネル５を副液晶表示パネルとして使用する表示装置の構成を説明する。第１の表示パネル４と第２の表示パネル５は、暗い環境でも認識するために、半透過型液晶表示パネルを採用し、さらに、第１の表示パネル４と第２の表示パネル５との間には、一体の導光板９５からなるバックライトユニットを有する。
スイッチング素子を有する第１の表示パネル４の構成は、第１の基板１を導光板９５側に設置し、第１の基板１と所定の間隙を設けて第２の基板６を第１のシール部材１４にて接着し、前記間隙に第１の液晶層９を封入する。第１の基板１上には、携帯電話器の表示モジュールの信号を発生する回路基板９８の信号をフレキシブルプリント基板３５を介して第１の駆動回路部３１に接続する外部回路接続電極３７と、駆動回路接続電極３２と第２の表示パネル５に信号を伝達するパネル間ＦＰＣ４３と接続する第１のパネル間接続電極４１を設ける。
バックライトユニットを構成する導光板９５には、パネル間ＦＰＣ４３を固定する導光板溝１３９を設ける。さらに、パネル間ＦＰＣ４３を導光板溝１３９に固定するため、パネル間ＦＰＣ４３と導光板溝１３９との間に、パネル導光板間接着部材１３８を設ける。以上の２種類の固定部材で、パネル間ＦＰＣ４３は、しっかり導光板に固定できる。さらに、導光板溝１３９は、エレクトロルミネッセント（ＥＬ）素子（図示せず）を設ける辺以外の辺に設けている。
また、導光板９５から第２の表示パネル５側に出射する光を、第２の表示パネル５からの反射を利用して、第１の表示パネル４の表示にも利用しているため、第２の表示パネル５の表示領域の周囲に、第２の表示パネル５の反射率とほぼ同等の反射率を有する反射調整部材１４３を設ける。反射調整部材１４３は、半透過性を有する薄膜金属膜にて形成する。この反射調整部材１４３を設けることにより、導光板９５から第１の表示パネル４側へ出射する光量を均一にできるため、結果として、第１の表示パネル４の表示品質を均一にできる。
また、第２の表示パネル５を構成する第３の基板１１あるいは第４の基板１６は、薄型基板のため、反り、破損を防止するために、前記基板１１、１６の一方は、導光板９５にパネル導光板間接着部材１３７にて接着している。導光板９５からの光を有効に第２の表示パネル５に導光するためにも効果がある。反射調整部材１４３は、薄膜のため、パネル導光板間接着部材１３７により、反射調整部材１４３あるいは、導光板９５のいずれかに第２の表示パネル５を構成する基板が、接着できる。
第１の駆動回路部３１は、前記外部回路接続電極３７と駆動回路接続電極３２とに異方性導電性フィルム（ＡＣＦ）４４によりチップ・オン・ガラスを実装している。また、パネル間ＦＰＣ４３と接続する第１のパネル間接続電極４１、あるいはフレキシブルプリント基板３５と外部回路接続電極３７は、ＡＣＦにより加熱圧着実装している。
第１の表示パネル４は、第２の基板６の第１の液晶層９の反対の面に、第１の位相差板２１と第１の偏光板の順に積層する。また、第１の基板１の第１の液晶層９の反対の面には、第２の位相差板２３と第２の偏光板２２の順に積層する。第１の位相差板２１あるいは、第２の位相差板２３は、複数の位相差板の積層フィルムを用いてもよい。
また、第１の基板１上に設ける表示電極（図示せず）には、光を透過する程度に薄い金属膜からなる半透過反射板を採用する。あるいは、ほとんどの光を反射する反射板に光を透過する開口部を設け、開口部上に透明導電膜を設けて反射部分と透過部分を場所で機能分離する半透過反射板を採用している。
第２の表示パネル５の構成は、第３の基板１１を導光板９５側に設置し、第３の基板１１と所定の間隙を設けて第４の基板１６を第２のシール部材１５にて接着し、前記間隙に第２の液晶層１９を封入する。第３の基板１１上には、第１の表示パネル４からの信号を第２の表示パネル５に信号を伝達するパネル間ＦＰＣ４３と接続する第２のパネル間接続電極４２を設ける。
パネル間ＦＰＣ４３と接続する第２のパネル間接続電極４２は、第２のパネル間接続部４６において、ＡＣＦにより加熱圧着実装している。
第２の表示パネル５において、第３の基板１１の第２の液晶層１９の反対の面には、第３の位相差板６７と第３の偏光板６６の順に積層する。また、第４の基板１６の第２の液晶層１９の反対の面には、第４の位相差板６９と第４の偏光板６８の順に積層する。第３の位相差板６７あるいは、第４の位相差板６９は、複数の位相差板の積層フィルムを用いてもよい。
また、第３の基板１１上に設ける表示電極（図示せず）には、光を透過する程度に薄い金属膜からなる半透過反射板を採用する。あるいは、ほとんどの光を反射する反射板に光を透過する開口部を設け、開口部上に透明導電膜を設けて反射部分と透過部分を場所で機能分離する半透過反射板を採用している。
外部環境が暗い場合には、回路基板９８にＢＬ接続部材９７を介して接続するライトエミッテドダイオード（ＬＥＤ）素子９６を点灯し、導光板９５を介して、第１の表示パネル４と第２の表示パネル５に光を出射して透過型液晶表示パネルとして表示をおこない、外部環境が明るい場合には、反射型液晶表示パネルとして表示をおこなう。
つぎに、パネル間スイッチング素子９１と保護素子９２と各画素部のスイッチング素子の構成を第１４図の等価回路図を用いて説明する。
第１４図には、第１の表示パネル４表示領域２８とパネル間スイッチング素子９１と保護素子９２を形成する領域を示している。第１の表示パネル４表示領域２８とパネル間スイッチング素子９１とは、第３の実施形態に示す第１０図とほぼ同等なため、説明を割愛する。
パネル間スイッチング素子９１の薄膜トランジスターＳＤ＿６１のＳＤＤ＿６１からの出力ｒ＿１は、保護素子９２の領域で２個の薄膜トランジスターＨＴｒ＿１とＨＴｒ＿２に接続する。薄膜トランジスターＨＴｒ＿１を構成するソース電極Ｈｓ＿１は、Ｈｇ＿１と接続させ、ダイオードとして機能させる。また、薄膜トランジスターＨＴｒ＿２を構成するドレイン電極電極Ｈｄ＿２は、Ｈｇ＿２と接続させダイオードとして機能させる。さらに２個の薄膜トランジスターは、ソース電極Ｈｓ＿１とＨｓ＿２とを接続し、ドレイン電極Ｈｄ＿１とＨｄ＿２とを接続して、双極性のダイドード（ダイオードのリング接続）構成にする。
双極性のダイオードのソース電極Ｈｓには、第１の表示パネル４の第２の電極と第２の表示パネル５の第５の電極１７とに接続するｃｏｍ＿１に接続し、ドレイン電極Ｈｄは、パネル間スイッチング素子９１を構成する薄膜トランジスターＳＤ＿６１のドレイン電極ＳＤＤ＿６１に接続し、第１の表示パネル４のｒ＿１と第２の表示パネル５のｒ＿１に接続する。ゲート電極ｒ＿１に、ｃｏｍ＿１電極より高い電位電圧が印加すると、ＨＴｒ＿２の薄膜トランジスターがオンしてｃｏｍ＿１に電流を流し、瞬時にｒ＿１の電位差を小さくすることができる。
逆に、ゲート電極ｒ＿１に、ｃｏｍ＿１電極より低い電位電圧が印加すると、ＨＴｒ＿１の薄膜トランジスターがオンしてｃｏｍ＿１から電流を流し、瞬時にｒ＿１の電位差を小さくすることができる。
ｒ＿２においても同様であり、保護素子９２では、薄膜トランジスターＨＴｒ＿３とＴＨｒ＿４とをリング接続する。効果は以上に示すｒ＿１と同様である。
以上の説明から明らかなように、パネル間スイッチング素子９１を設けることにより、第２の表示パネル５の表示をオフする場合に、第３の電極３であるゲート電極の信号をパネル間スイッチング素子９１で遮断し、第６の電極１３であるゲート電極に信号を印加しない。第２の表示パネル５を表示する場合には、逆にオンすればよい。
さらに、第２の表示パネル５の第４の電極１２からなるソース電極は、第１の駆動回路部３１の出力を第１の基板１上に設ける配線を利用して、第１の表示領域の周囲を迂回してパネル間スイッチング素子９１に直接配線する。そのため、第１の駆動回路部３１で第２の表示パネル５の表示のオンとオフを制御することも可能であり、また、パネル間スイッチング素子９１を利用してオンとオフを切り換えることも可能である。
低消費電力化に寄与する順番は、まず、パネル間スイッチング素子９１のみをオフとする。さらに低消費電力化には、第１の駆動回路部３１の第２の表示パネル５のソース電極分をオフする。さらに低消費電力化には、パネル間スイッチング素子９１と第１の駆動回路部３１の第２の表示パネル５のソース電極分をオフすることである。
つぎに第１５図を用いて本発明の第１の表示パネル４と第２の表示パネル５を有する表示装置（携帯電話器）の機能をシステムブロック図を用いて説明する。第１５図には、主液晶表示パネルである第１の表示パネル４と副液晶表示パネルである第２の表示パネル５を目的の表示をおこなうためのシステムを記載している。
本システムでは、二次電池１１５を電力源とし、充電用電圧変換回路１１４と電圧検出回路１１２と電池残量検出回路１１３を有し、電池残量により、バックライト制御回路１１８に信号を印加し、ＬＣＰＢＬオンオフ制御１１６を起動する。バックライト制御回路１１８の命令により、バックライト６５の点灯・非点灯をおこなう。
基準クロック発信回路１２０の基準周波数信号を同期分離回路１２１で同期分離をおこない、水平同期回路１２２と垂直同期回路１２３に信号を印加する。水平同期回路１２３の信号は、走査信号制御ブロック１２８に伝達される。走査信号制御ブロック１２８は、第１の表示パネル４の駆動を担当する（１）ＬＣＰ走査信号選択回路１２６と、第２の表示パネル５の駆動を担当する（２）ＬＣＰ走査信号選択回路１２７から構成される。
垂直同期回路１２２の信号は、階調信号発生回路１２５に伝達し、さらに、データー信号制御ブロック１３１に伝達される。データー信号制御ブロック１３１は、第１の表示パネル４の駆動を担当する（１）ＬＣＰデーター信号選択回路１２９と、第２の表示パネル５の駆動を担当する（２）ＬＣＰデーター信号選択回路１３０から構成される。
走査信号制御ブロック１２８からは、走査信号発生回路１３４に信号が出力さる。データー信号制御ブロック１３１からは、データー信号発生回路１３３に信号が出力される。電池残量検出回路１１３と、携帯電話器蓋開閉検出回路１１０の信号により、第１の表示パネル４を表示するか、第２の表示パネル５を点灯するかを決定し、第１の表示パネル４あるいは、第２の表示パネル５へ駆動信号を印加するとともに、パネル間スイッチング素子９１をオンするか、オフするかも決定する。
さらに、保護素子９２を設けており、第１の表示パネル４の第１の表示領域２８あるいは第２の表示パネル５の第２の表示領域２９の表示品質の向上維持を行っている。保護素子９２は、パネル間スイッチング素子９１の素子変化あるいは劣化も防止できるため、従来の単一表示パネルのスイッチング素子の劣化を防止する保護素子に比較して広い範囲のスイッチング素子の静電気に対する保護を実現している。
本発明の第５の実施形態では、保護素子９２は、パネル間スイッチング素子９１と第２の表示パネル５との間に設けているが、第１の表示パネル４とパネル間スイッチング素子９１との間にさらに設けることにより、パネル間スイッチング素子９１の保護と第１の表示パネル４の第１の表示領域２８の品質向上ができる。
また、本発明の第５の実施形態では、保護素子９２を設ける面積の縮小と、保護素子９２によるリーク電流低減による低消費電力化を達成するために、第１の表示パネル４を構成する第１の基板１上にのみ、保護素子９２を設けているが、第２の表示パネル５を構成する第３の基板１１上に保護素子９２を設けることにより、第２の表示パネル５を単体で加工する場合の静電気への保護ができるため、有効である。
＜第６の実施形態＞
第１７図は、本発明の第６の実施形態における表示パネル部を平面展開した状態を示す要部平面図である。なお、第１７図では、図が煩雑になるのを避けるため、第１および第２の表示パネル４，５のシール部を省略している。また、上述した各実施の形態と同様の構成については同一の符号を付して重複する説明を省略する。
第６の実施形態の表示装置は、第１の電極２からなるｃ＿１からｃ＿１００までのソース電極と、第３の電極３からなるｒ＿１からｒ＿８０までのゲート電極を、同一の駆動回路部３１に接続し、それらソース電極およびゲート電極を一つの駆動回路部３１で駆動するようにしたものである。この構成によれば、駆動回路部３１を構成するＩＣが１個でよいので、ＩＣの実装スペースを小さくすることができる。
＜第７の実施形態＞
第１８図は、本発明の第７の実施形態における表示パネル部を平面展開した状態を示す要部平面図であり、第１９図は、その概略平面図である。また、第２０図は、第２図のＡ−Ａ線における第７の実施形態の表示パネルブロックの部分を示す断面図である。なお、第１８図では、図が煩雑になるのを避けるため、第１および第２の表示パネル４，５のシール部を省略している。また、上述した各実施の形態と同様の構成については同一の符号を付して重複する説明を省略する。
第１８図および第１９図に示すように、第７の実施形態の表示装置は、第１の表示パネル４と第２の表示パネル５とを、パネル間ＦＰＣ４３上に駆動回路部３１を実装したチップ・オン・フィルム（ＣＯＦ）１４１を介して接続したものである。そして、第６の実施の形態と同様に、この駆動回路部３１に第１の電極２からなるｃ＿１からｃ＿１００までのソース電極と、第３の電極３からなるｒ＿１からｒ＿８０までのゲート電極を接続し、それらソース電極およびゲート電極を一つの駆動回路部３１で駆動する構成となっている。特に限定しないが、たとえば第２の表示パネル５は第１の表示パネル４よりも小さいので、第２０図に示すように、駆動回路部３１を構成するＩＣは、折り返されたＣＯＦ１４１の第２の表示パネル５側部分に実装されている。
ＣＯＦ１４１は、ポリイミド樹脂よりなるフィルムの両面に複数対の電極を有している。表面側の電極と、その表面側の電極に背中合わせに配置された裏面側の電極とは、ポリイミドフィルムを貫通するスルーホール１４５を介して電気的に接続されている。表裏で電気的に接続された一対の電極は、駆動回路部３１の同一の出力端子に電気的に接続されている。そして、たとえば表面側の電極は第１の表示パネル４のソース電極またはゲート電極に電気的に接続され、裏面側の電極は第２の表示パネル５のソース電極またはゲート電極に電気的に接続されている。
また、第１の表示パネル４には、ＣＯＦ１４１と第１の表示パネル４との間で、駆動回路部３１から第１の表示パネル４へ供給される駆動信号のオン、オフを制御するパネル間スイッチング素子９１が設けられている。第２の表示パネル５についても同様であり、第２の表示パネル５には、駆動回路部３１から第２の表示パネル５へ供給される駆動信号のオン、オフを制御するパネル間スイッチング素子９１が設けられている。
また、ＣＯＦ１４１上には、駆動回路部３１の昇圧コンデンサ等のチップ部品１４２が搭載されている。また、ＣＯＦ１４１にはＦＰＣ上入力電極３６が設けれられており、このＦＰＣ上入力電極３６を介して、図示しない外部回路から駆動回路部３１に各種信号が供給される。ＦＰＣ上入力電極３６は、駆動回路部３１への電源電圧の印加や、昇圧コンデンサ等の接続にも用いられる。また、ＣＯＦ１４１上には、バックライト用のライトエミッテドダイオード（ＬＥＤ）素子１４６（第１９図では、ＬＥＤ実装部品１４７）が実装されている。このＬＥＤ素子１４６は、ＣＯＦ１４１の電極を介して駆動回路部３１に接続されており、駆動回路部３１により駆動される。
＜第８の実施形態＞
第２１図は、本発明の第８の実施形態における表示パネル部を平面展開した状態を示す概略平面図であるが、同図では、図が煩雑になるのを避けるため、第１および第２の表示パネル４，５のシール部を省略している。上述した各実施の形態と同様の構成については同一の符号を付して重複する説明を省略する。第８の実施形態の表示装置は、ｃ＿１からｃ＿１５０までのソース電極と、ｒ＿１からｒ＿１１０までのゲート電極を有している。それらの電極のうち、たとえばｃ＿１からｃ＿１００までのソース電極とｒ＿１からｒ＿８０までのゲート電極は第１の表示パネル４の駆動に用いられている。また、たとえばｃ＿１００からｃ＿１５０までのソース電極とｒ＿８０からｒ＿１１０までのゲート電極は第２の表示パネル５の駆動に用いられている。
第２の表示パネル５を駆動するためのソース電極のうちの一部（図示例では、ｃ＿１００）は、第１の表示パネル４の対応するソース電極（図示例では、ｃ＿１００）に、保護素子９２およびパネル間スイッチング素子９１を介して電気的に接続されている。また、第２の表示パネル５を駆動するためのゲート電極のうちの一部（図示例では、ｒ＿８０）は、第１の表示パネル４の対応するゲート電極（図示例では、ｒ＿８０）に、保護素子９２およびパネル間スイッチング素子９１を介して電気的に接続されている。
第２の表示パネル５を駆動するためのソース電極のうち、第１の表示パネル４のソース電極に電気的に接続されたものを除く残り（図示例では、図示省略したｃ＿１０１〜ｃ＿１５０）は、保護素子９２およびパネル間スイッチング素子９１を介して駆動回路部３１に電気的に接続されている。また、第２の表示パネル５を駆動するためのゲート電極のうち、第１の表示パネル４のゲート電極に電気的に接続されたものを除く残り（図示例では、図示省略したｒ＿８１〜ｒ＿１１０）は、保護素子９２およびパネル間スイッチング素子９１を介して駆動回路部３４に電気的に接続されている。このような構成にすれば、第２の表示パネル５に、第１の表示パネル４の表示内容とは異なる内容を表示させることができる。
＜第９の実施形態＞
第２２図は、本発明の第９の実施形態における表示パネル部を平面展開した状態を示す要部平面図であり、第２３図は、その概略平面図である。なお、第２２図では、図が煩雑になるのを避けるため、第１および第２の表示パネル４，５のシール部を省略している。また、上述した各実施の形態と同様の構成については同一の符号を付して重複する説明を省略する。
第２２図および第２３図に示すように、第９の実施形態の表示装置は、第１１図に示す第４の実施形態において、駆動回路部３１に接続されたｃ＿１からｃ＿１００までのソース電極のうち、第２の表示パネル５の表示領域２９を通らないもの（図示例では、ｃ＿１〜ｃ＿６０）については、第２の表示パネル５に設けたスイッチング素子９３を介し、第２の表示パネル５の表示領域２９を迂回して第１の表示パネル４の対応するソース電極（図示例では、ｃ＿１〜ｃ＿６０）に電気的に接続したものである。ゲート電極についても同様であり、駆動回路部３１に接続されたｒ＿１からｒ＿８０までのゲート電極のうち、第２の表示パネル５の表示領域２９を通らないもの（図示例では、図示省略したｒ＿３１〜ｒ＿８０）は、第２の表示パネル５に設けたスイッチング素子９３を介し、第２の表示パネル５の表示領域２９を迂回して第１の表示パネル４の対応するゲート電極（図示例では、図示省略したｒ＿３１〜ｒ＿８０）に電気的に接続している。
第２の表示パネル５の表示領域２９を通るソース電極（図示例では、ｃ＿６１〜ｃ＿１００）は、第１の表示パネル４に設けられたパネル間スイッチング素子９１を介して第１の表示パネル４の対応するソース電極（図示例では、ｃ＿６１〜ｃ＿１００）に電気的に接続されている。また、第２の表示パネル５の表示領域２９を通るゲート電極（図示例では、ｒ＿１〜ｒ＿３０）は、第１の表示パネル４に設けられたパネル間スイッチング素子９１を介して第１の表示パネル４の対応するゲート電極（図示例では、ｒ＿１〜ｒ＿３０）に電気的に接続されている。
第２の表示パネル５に設けられたスイッチング素子９３の構成および動作は、第１の表示パネル４に設けられたパネル間スイッチング素子９１と同じである。すなわち、第１の表示パネル４の表示が不要な場合には、パネル間スイッチング素子９１とスイッチング素子９３はオフとなる。第１の表示パネル４の表示が必要な場合には、パネル間スイッチング素子９１とスイッチング素子９３はオンする。
このような構成としても、第１の表示パネル４の表示の必要がない場合には、第１の表示パネル４の表示をオフすることができるので、非常に低消費電力化することが可能となる。なお、ソースおよびゲートの各電極と、パネル間スイッチング素子９１およびスイッチング素子９３に発生する静電気を分散するための保護素子を有する構成としてもよい。
（アクティブマトリクス型液晶表示パネルとパッシブマトリクス型液晶表示パネルの接続構造）
第２４図は、以下に説明する本発明の第１０〜第１３の実施形態における表示パネル部を平面展開した状態を模式的に示す平面図である。第２４図に示すように、第１０〜第１３の実施形態における表示装置は、第１の表示パネル４２０４と第２の表示パネル５２０５とをパネル間の接続部材２４３により接続したものである。そして、たとえば第９図に示す第３の実施形態のように、第１の表示パネル４２０４上のパネル間相互接続部近傍に、第１の表示パネル４２０４を駆動する駆動信号を第２の表示パネル５２０５を駆動するための信号に変換する信号変換機能を有するパネル間スイッチング素子２９１が設けられている。
図示省略したが、第１の表示パネル４２０４および第２の表示パネル５２０５には、それぞれ電気光学表示媒体と、その電気光学表示媒体へ駆動信号を供給するための複数のソース電極および複数のゲート電極が設けられている。第１および第２の表示パネル５２０４，２０５を駆動する駆動回路部（第１〜第９の実施の形態の駆動回路部３１，３４に相当）は、第１の表示パネル４２０４を構成する基板上に設けられている。第１の表示パネル４２０４のすべてのソース電極とすべてのゲート電極は駆動回路部に接続されている。そして、第１の表示パネル４２０４の一部のソース電極と一部のゲート電極は、それぞれパネル間スイッチング素子２９１を介して第２の表示パネル５２０５の対応するソース電極とゲート電極に電気的に接続されている。
＜第１０の実施形態＞
第１０の実施形態では、第２４図に示す構成において、第１の表示パネル４２０４は、たとえば各画素部にポリシリコン半導体層からなる薄膜トランジスターを備えたアクティブマトリクス型液晶表示パネルであり、第２の表示パネル５２０５はパッシブマトリクス型のＳＴＮ（スーパーツイステッドネマティック）液晶表示パネルである。２４３は接続部材である。
第２５図は、本発明の第１０の実施形態における表示パネル間の信号変換について説明するための波形図である。第２６図および第２７図は、本発明の第１０の実施形態における表示パネル間の信号変換をおこなうパネル間スイッチング素子の概略構成を示すブロック図であり、第２６図はゲート電極印加信号の変換ブロックを示し、第２７図はソース電極印加信号の変換ブロックを示す。
第２５図に示すように、第１の表示パネル４２０４では、ソース電極に印加する信号電圧の振幅を制御することにより階調表示をおこなう電圧振幅変調階調法が採用されている（第２５図（ｂ））。そして、液晶の劣化を防ぐため、１画面表示毎にソース電極に印加する信号電圧の極性を反転させる交流駆動をおこなう（第２５図（ｂ））。それに対して、第２の表示パネル５２０５では、連続した複数の画面（フレーム）のオン、オフの比率に応じて階調を表示するフレームレート制御階調法が採用されている（第２５図（ｄ））。
したがって、第２の表示パネル５２０５では、第１の表示パネル４２０４の１画面表示に要する時間内に複数の画面（フレーム）を表示する必要があるため、第１の表示パネル４２０４よりも駆動周波数が高くなる。また、第２の表示パネル５２０５では、ソース電極に印加する信号電圧の振幅が一定である（第２５図（ｄ））。また、第２の表示パネル５２０５では、ゲート電極に印加する信号電圧の極性を反転させることにより、交流駆動をおこなう（第２５図（ｃ））。
このような信号変換をおこなうため、第２６図に示すように、第１の表示パネル４２０４のゲート電極に印加される信号の周波数を、パネル間スイッチング素子２９１を構成するゲート信号周波数変換回路２１１により、第２の表示パネル５２０５の駆動に適した周波数に変換する。さらに、周波数変換した信号の電圧を、パネル間スイッチング素子２９１を構成するゲート駆動電圧変換回路２１２により、第２の表示パネル５２０５の駆動に適した交流電圧に変換する。このようにして、第１の表示パネル４２０４のゲート電極に印加される信号（第２５図（ａ））は、第２の表示パネル５２０５のゲート電極に印加するのに適した波形の信号（第２５図（ｃ））に変換されて第２の表示パネル５２０５のゲート電極に印加される。
また、第２７図に示すように、第１の表示パネル４２０４のソース電極に印加される信号の周波数を、パネル間スイッチング素子２９１を構成するソース信号周波数変換回路２１３により、第２の表示パネル５２０５の駆動に適した周波数に変換する。さらに、周波数変換した信号の電圧を、パネル間スイッチング素子２９１を構成するソース駆動電圧変換回路２１４により、第２の表示パネル５２０５の駆動に適した電圧に変換する。その電圧変換の際に、階調表示をおこなうため、第１の表示パネル４２０４の１画面分に相当する連続した複数の画面（フレーム）のオン、オフが調整される。
この連続した複数の画面（フレーム）のオン、オフを制御するため、パネル間スイッチング素子２９１のソース電極印加信号の変換ブロックには、階調メモリー回路２１５と階調信号発生回路２１６が設けられている。第１の表示パネル４２０４のソース電極に印加される信号電圧の振幅は、階調情報として階調メモリー回路２１５に記憶される。その記憶された階調情報に基づいて、階調信号発生回路２１６は、連続した複数の画面（フレーム）のオン、オフを制御する階調信号を発生させる。
ソース駆動電圧変換回路２１４は、その階調信号に応じて、表示をオンさせる画面（フレーム）のときには第２の表示パネル５２０５のゲート電極印加信号と逆の極性の信号を発生させ、表示をオフさせる画面（フレーム）のときには第２の表示パネル５２０５のゲート電極印加信号と同じ極性の信号を発生させる。このようにして、第１の表示パネル４２０４のソース電極に印加される信号（第２５図（ｂ））は、第２の表示パネル５２０５のソース電極に印加するのに適した波形の信号（第２５図（ｄ））に変換されて第２の表示パネル５２０５のソース電極に印加される。
ここで、ゲート信号周波数変換回路２１１、ゲート駆動電圧変換回路２１２、ソース信号周波数変換回路２１３、ソース駆動電圧変換回路２１４、階調メモリー回路２１５および階調信号発生回路２１６は、いずれも公知の技術により構成することができる。
（液晶表示パネルと有機ＬＥＤ表示パネルの接続構造）
第２８図は、本発明の第１１以降の実施形態における有機ＬＥＤ表示パネルの一部を拡大する断面図である（ただし、第１１の実施の形態では、駆動方式の違いから、その構成が若干異なっている）。第２８図に示すように、一方の基板３０１上に薄膜トランジスター３０９が形成されている。薄膜トランジスター３０９は、基板３０１上に積層されたポリシリコン（またはアモルファスシリコン）よりなる半導体層３０４と、その半導体層３０４の両側に形成されたソース領域およびドレイン領域となる不純物ドープ領域３０５と、半導体層３０４上にゲート絶縁膜３０３を介して積層されたゲート電極３０２と、ソース電極３０６およびドレイン電極３０７とを有している。
ドレイン電極３０７は、薄膜トランジスター３０９を覆う層間絶縁膜３２５上に設けられたカソード電極３２４に、ドレイン接続電極３０８と、層間絶縁膜３２５を貫通するコンタクト部３１３を介して電気的に接続されている。カソード電極３２４上には発光層３２３が積層されており、さらにその上には電子輸送層３２２を介してアノード電極３２１が積層されている。そして、薄膜トランジスター３０９、層間絶縁膜３２５、カソード電極３２４、発光層３２３、電子輸送層３２２およびアノード電極３２１を、保護膜３１１が覆っている。
また、ガラス基板３９６が、上述した構造のＬＥＤ素子が形成された基板３０１に対向して配置されている。ガラス基板３９６上には位相差板３５６および偏光板３５５が積層されている。ガラス基板３９６と基板３０１との間はシール部３１４に封止されている。また、基板３０１上には、ゲート電極３０２またはソース電極３０６に所定の信号を印加するための図示しない駆動回路部が実装される接続電極３３６と、この駆動回路部に所定の信号を印加する外部回路との接続をおこなう入力電極３３７が設けられている。
＜第１１の実施形態＞
第１１の実施形態では、第２４図に示す構成において、第１の表示パネル２０４は、たとえば各画素部にポリシリコン半導体層からなる薄膜トランジスターを備えたアクティブマトリクス型液晶表示パネルであり、第２の表示パネル２０５はパッシブマトリクス型の有機ＬＥＤ表示パネルである。有機ＬＥＤ表示パネルは、第２８図に示す構成において、接続電極３３６には接続部材２４３上の電極が接続される。また、入力電極３３７は設けられていない。また、有機ＬＥＤ表示パネルはパッシブマトリクス型であるので、基板３０１上には薄膜トランジスター３０９が設けられていない。なお、パッシブマトリクス型の有機ＬＥＤ表示パネルの構成については公知であるので、図示および詳細な説明を省略する。
第２９図は、本発明の第１１の実施形態における表示パネル間の信号変換について説明するための波形図である。第３０図および第３１図は、本発明の第１１の実施形態における表示パネル間の信号変換をおこなうパネル間スイッチング素子の概略構成を示すブロック図であり、第３０図はゲート電極印加信号の変換ブロックを示し、第３１図はソース電極印加信号の変換ブロックを示す。
第２９図に示すように、第１の表示パネル４２０４では、第１０の実施形態と同様に、ソース電極に印加する信号に対して、電圧振幅変調階調法と交流駆動が採用されている（第２９図（ｂ））。それに対して、第２の表示パネル５２０５では、ソース電極に印加する信号に対して、電圧振幅変調階調法が採用されている。そして、第２の表示パネル５２０５では、液晶の劣化を考慮しなくてよいので、ソース電極に対して直流駆動をおこなう（第２９図（ｄ））。
このような信号変換をおこなうにあたっては、周波数変換は不要であるため、第３０図に示すように、第１の表示パネル４２０４のゲート電極に印加される信号の電圧を、パネル間スイッチング素子２９１を構成するゲート駆動電圧変換回路２２２により、第２の表示パネル５２０５の駆動に適した電圧に変換する。このようにして、第１の表示パネル４２０４のゲート電極に印加される信号（第２９図（ａ））は、第２の表示パネル５２０５のゲート電極に印加するのに適した波形の信号（第２９図（ｃ））に変換されて第２の表示パネル５２０５のゲート電極に印加される。
また、第３１図に示すように、第１の表示パネル４２０４のソース電極に印加される信号電圧の振幅に基づいて、パネル間スイッチング素子２９１を構成する階調信号発生回路２２６は階調信号を発生させる。その階調信号に応じてソース駆動電圧変換回路２２４は、第２の表示パネル５２０５のソース電極に印加する信号の電圧振幅を調整する。このようにして、第１の表示パネル４２０４のソース電極に印加される信号（第２９図（ｂ））は、第２の表示パネル５２０５のソース電極に印加するのに適した波形の信号（第２９図（ｄ））に変換されて第２の表示パネル５２０５のソース電極に印加される。ここで、ゲート駆動電圧変換回路２２２、ソース駆動電圧変換回路２２４および階調信号発生回路２２６は、いずれも公知の技術により構成することができる。
＜第１２の実施形態＞
第１２の実施形態では、第２４図に示す構成において、第１の表示パネル４２０４は、第２８図に示す構成のポリシリコン半導体層からなる薄膜トランジスターを備えたアクティブマトリクス型有機ＬＥＤ表示パネルであり、第２の表示パネル５２０５はパッシブマトリクス型のＳＴＮ液晶表示パネルである。
第３２図は、本発明の第１２の実施形態における表示パネル間の信号変換について説明するための波形図である。第３３図および第３４図は、本発明の第１２の実施形態における表示パネル間の信号変換をおこなうパネル間スイッチング素子の概略構成を示すブロック図であり、第３３図はゲート電極印加信号の変換ブロックを示し、第３４図はソース電極印加信号の変換ブロックを示す。
第３２図に示すように、第１の表示パネル４２０４では、ソース電極に印加する信号に対して、電圧振幅変調階調法と直流駆動が採用されている（第３２図（ｂ））。それに対して、第２の表示パネル５２０５では、第１０の実施形態で説明したようにフレームレート制御階調法と交流駆動が採用されている（第３２図（ｃ）、（ｄ））。したがって、第２の表示パネル５２０５では、第１の表示パネル４２０４の１画面表示に要する時間内に複数の画面（フレーム）を表示する必要があるため、第１の表示パネル４２０４よりも駆動周波数が高くなる。また、第２の表示パネル５２０５では、ソース電極に印加する信号電圧の振幅が一定である（第３２図（ｄ））。また、第２の表示パネル５２０５では、ゲート電極に印加する信号電圧の極性を反転させることにより、交流駆動をおこなう（第３２図（ｃ））。
このような信号変換をおこなうため、第３３図に示すように、第１の表示パネル４２０４のゲート電極に印加される信号の周波数を、パネル間スイッチング素子２９１を構成するゲート信号周波数変換回路２３１により、第２の表示パネル５２０５の駆動に適した周波数に変換する。その周波数変換した信号の直流電圧を、パネル間スイッチング素子２９１を構成する交流化回路２３７により交流電圧に変換する。さらに、その交流化した信号の電圧を、パネル間スイッチング素子２９１を構成するゲート駆動電圧変換回路２３２により、第２の表示パネル５２０５の駆動に適した電圧に変換する。このようにして、第１の表示パネル４２０４のゲート電極に印加される信号（第３２図（ａ））は、第２の表示パネル５２０５のゲート電極に印加するのに適した波形の信号（第３２図（ｃ））に変換されて第２の表示パネル５２０５のゲート電極に印加される。
また、第３４図に示すように、第１の表示パネル４２０４のソース電極に印加される信号の周波数を、パネル間スイッチング素子２９１を構成するソース信号周波数変換回路２３３により、第２の表示パネル５２０５の駆動に適した周波数に変換する。その周波数変換した信号の直流電圧を、パネル間スイッチング素子２９１を構成する交流化回路２３８により交流電圧に変換する。さらに、その交流化した信号の電圧を、パネル間スイッチング素子２９１を構成するソース駆動電圧変換回路２３４により、第２の表示パネル５２０５の駆動に適した電圧に変換する。その電圧変換の際に、階調表示をおこなうため、パネル間スイッチング素子２９１を構成する階調メモリー回路２３５および階調信号発生回路２３６により、第１０の実施形態と同様にして、第１の表示パネル４２０４の１画面分に相当する連続した複数の画面（フレーム）のオン、オフが調整される。
このようにして、第１の表示パネル４２０４のソース電極に印加される信号（第３２図（ｂ））は、第２の表示パネル５２０５のソース電極に印加するのに適した波形の信号（第３２図（ｄ））に変換されて第２の表示パネル５２０５のソース電極に印加される。ここで、ゲート信号周波数変換回路２３１、ゲート駆動電圧変換回路２３２、ソース信号周波数変換回路２３３、ソース駆動電圧変換回路２３４、階調メモリー回路２３５、階調信号発生回路２３６および交流化回路２３７，２３８は、いずれも公知の技術により構成することができる。
＜第１３の実施形態＞
第１３の実施形態では、第２４図に示す構成において、第１の表示パネル４２０４は、第２８図に示す構成のポリシリコン半導体層からなる薄膜トランジスターを備えたアクティブマトリクス型有機ＬＥＤ表示パネルであり、第２の表示パネル５２０５は、たとえば各画素部にアモルファスシリコン半導体層からなる薄膜トランジスターを備えたアクティブマトリクス型液晶表示パネルである。
第３５図は、本発明の第１３の実施形態における表示パネル間の信号変換について説明するための波形図である。第３６図および第３７図は、本発明の第１３の実施形態における表示パネル間の信号変換をおこなうパネル間スイッチング素子の概略構成を示すブロック図であり、第３６図はゲート電極印加信号の変換ブロックを示し、第３７図はソース電極印加信号の変換ブロックを示す。
第３５図に示すように、第１の表示パネル４２０４では、ソース電極に印加する信号に対して、電圧振幅変調階調法と直流駆動が採用されている（第３５図（ｂ））。それに対して、第２の表示パネル５２０５では、ソース電極に印加する信号に対して、電圧振幅変調階調法と交流駆動が採用されている（第３５図（ｄ））。
このような信号変換をおこなうため、第３６図に示すように、第１の表示パネル４２０４のゲート電極に印加される信号の周波数を、パネル間スイッチング素子２９１を構成するゲート信号周波数変換回路２５１により、第２の表示パネル５２０５の駆動に適した周波数に変換する。その周波数変換した信号の電圧を、パネル間スイッチング素子２９１を構成するゲート駆動電圧変換回路２５２により、第２の表示パネル５２０５の駆動に適した電圧に変換する。このようにして、第１の表示パネル４２０４のゲート電極に印加される信号（第３５図（ａ））は、第２の表示パネル５２０５のゲート電極に印加するのに適した波形の信号（第３５図（ｃ））に変換されて第２の表示パネル５２０５のゲート電極に印加される。
また、第３７図に示すように、第１の表示パネル４２０４のソース電極に印加される信号の周波数を、パネル間スイッチング素子２９１を構成するソース信号周波数変換回路２５３により、第２の表示パネル５２０５の駆動に適した周波数に変換する。その周波数変換した信号の直流電圧を、パネル間スイッチング素子２９１を構成する交流化回路２５８により交流電圧に変換する。さらに、その交流化した信号の電圧を、パネル間スイッチング素子２９１を構成するソース駆動電圧変換回路２５４により、第２の表示パネル５２０５の駆動に適した電圧に変換する。
その電圧変換の際に、階調表示をおこなうため、第１の表示パネル４２０４のソース電極に印加される信号電圧の振幅は、階調情報としてパネル間スイッチング素子２９１を構成する階調メモリー回路２５５に記憶される。その記憶された階調情報に基づいて、階調信号発生回路２５６は、第２の表示パネル５２０５のソース電極に印加する電圧信号の振幅を調整する階調信号を発生させる。ソース駆動電圧変換回路２５４は、その階調信号に応じて、第２の表示パネル５２０５のソース電極に印加する電圧信号の振幅、すなわち電圧レベルを調整する。
このようにして、第１の表示パネル４２０４のソース電極に印加される信号（第３５図（ｂ））は、第２の表示パネル５２０５のソース電極に印加するのに適した波形の信号（第３５図（ｄ））に変換されて第２の表示パネル５２０５のソース電極に印加される。ここで、ゲート信号周波数変換回路２５１、ゲート駆動電圧変換回路２５２、ソース信号周波数変換回路２５３、ソース駆動電圧変換回路２５４、階調メモリー回路２５５、階調信号発生回路２５６および交流化回路２５８は、いずれも公知の技術により構成することができる。
また、特に図示しないが、第２４図に示す構成において、第１の表示パネル４２０４が、第２８図に示す構成のポリシリコン半導体層からなる薄膜トランジスターを備えたアクティブマトリクス型有機ＬＥＤ表示パネルであり、第２の表示パネル５２０５が、アクティブマトリクス型またはパッシブマトリクス型の有機ＬＥＤ表示パネルであってもよい。この場合には、パネル間スイッチング素子２９１において周波数変化や駆動電圧変換などの信号変換をおこなう必要がないので、パネル間スイッチング素子２９１は単純に第２の表示パネル５へ供給される駆動信号のオン、オフを制御する。
（３以上の表示パネルを有する構造）
＜第１４の実施形態＞
第３８図は、本発明の第１４の実施形態における表示パネル部を平面展開した状態を示す概略平面図である。上述した各実施の形態と同様の構成については同一の符号を付して重複する説明を省略する。第３８図に示すように、第１４の実施形態の表示装置は、３個の表示パネルを有し、対向する第５の基板１５１および第６の基板１５２からなる第３の表示パネル４０４を、第１の表示パネル４と第２の表示パネル５との間に設けたものである。
第３の表示パネル４０４は、パネル間ＦＰＣ４３（区別するため、第１のパネル間ＦＰＣ４３とする）により第１の表示パネル４に接続されている。この第１のパネル間ＦＰＣ４３上には、第１乃至第３の表示パネル４，５，４０４のソース電極およびゲート電極を駆動する駆動回路部３１が実装されている。また、第３の表示パネル４０４は、別のパネル間ＦＰＣ４３（第２のパネル間ＦＰＣ４３とする）により第２の表示パネル５に接続されている。
第１４の実施形態では、特に限定しないが、たとえばｃ＿１からｃ＿２００までの２００本のソース電極とｒ＿１からｒ＿１８０までの１８０本のゲート電極が駆動回路部３１に接続されている。そして、ｃ＿１からｃ＿１００までのソース電極は、第１のパネル間ＦＰＣ４３上の図示しない電極および第１の表示パネル４の第１の基板１上に設けられたパネル間スイッチング素子９１を介して、第１の表示パネル４の表示領域のソース電極に電気的に接続されている。同様に、ｒ＿１からｒ＿８０までのゲート電極は、第１のパネル間ＦＰＣ４３上の図示しない電極および第１の基板１上のパネル間スイッチング素子９１を介して、第１の表示パネル４の表示領域のゲート電極に電気的に接続されている。
また、ｃ＿１０１からｃ＿２００までのソース電極は、第１のパネル間ＦＰＣ４３上の図示しない電極および第３の表示パネル４０４の第５の基板１５１上に設けられたパネル間スイッチング素子９１を介して、第３の表示パネル４０４の表示領域のソース電極に電気的に接続されている。同様に、ｒ＿１０１からｒ＿１８０までのゲート電極は、第１のパネル間ＦＰＣ４３上の図示しない電極および第５の基板１５１上のパネル間スイッチング素子９１を介して、第３の表示パネル４０４の表示領域のゲート電極に電気的に接続されている。
また、第３の表示パネル４０４のｃ＿１０１からｃ＿２００までのソース電極のうち、ｃ＿１０１からｃ＿１６０までは、第５の基板１５１（または、第２の表示パネル５の第３の基板１１）上のパネル間スイッチング素子９１および第２のパネル間ＦＰＣ４３上の図示しない電極を介して、第２の表示パネル５の表示領域のソース電極に電気的に接続されている。同様に、第３の表示パネル４０４のｒ＿１０１からｒ＿１８０までのゲート電極のうち、ｒ＿１０１からｒ＿１３０までは、第５の基板１５１（または、第３の基板１１）上に設けられたパネル間スイッチング素子９１および第２のパネル間ＦＰＣ４３上の図示しない電極を介して、第２の表示パネル５の表示領域のゲート電極に電気的に接続されている。
このような構成とすれば、第１の表示パネル４および第２の表示パネル５の表示内容に加えて、第３の表示パネル４０４にそれらと異なる情報を表示させることにより、表示可能な情報量が増えるので、より多様な使い方ができるという効果が得られる。たとえば、第１または第２の表示パネル５にインターネット情報を表示させ、それを参照しながら第３の表示パネル４０４を用いてメールを作成したり、受信したメールを表示させることができる。
＜第１５の実施形態＞
第３９図は、本発明の第１５の実施形態における表示パネル部を平面展開した状態を示す概略平面図である。第４０図は、本発明の第１５の実施形態における表示装置の上蓋を開いた状態を示す立体模式図である。上述した各実施の形態と同様の構成については同一の符号を付して重複する説明を省略する。第３９図に示すように、第１５の実施形態の表示装置は、第３８図に示す第１４の実施形態に、対向する第７の基板１５３および第８の基板１５４からなる第４の表示パネル４０５を追加したものである。第４の表示パネル４０５は、パネル間ＦＰＣ４３（区別するため、第３のパネル間ＦＰＣ４３とする）により第１の表示パネル４に接続されている。
第１５の実施形態では、特に限定しないが、たとえば第１の表示パネル４のｃ＿１からｃ＿１００までのソース電極のうち、ｃ＿１からｃ＿６０までは、第１の表示パネル４の第１の基板１（または、第４の表示パネル４０５の第７の基板１５３）上のパネル間スイッチング素子９１および第３のパネル間ＦＰＣ４３上の図示しない電極を介して、第４の表示パネル４０５の表示領域のソース電極に電気的に接続されている。同様に、第１の表示パネル４のｒ＿１からｒ＿８０までのゲート電極のうち、ｒ＿３０からｒ＿８０までは、第１の基板１（または、第７の基板１５３）上に設けられたパネル間スイッチング素子９１および第３のパネル間ＦＰＣ４３上の図示しない電極を介して、第４の表示パネル４０５の表示領域のゲート電極に電気的に接続されている。
たとえば、上述した４個の表示パネル４，５，４０４，４０５は折りたたみ式の携帯電話器１００につぎのように実装される。第４０図に示すように、第１の表示パネル４は、携帯電話器蓋部１０１の折りたたまれたときに内側になる面に実装され、通信内容、メール内容、インターネット情報、電話番号、電池残量、受信状況、使用者の必要な情報を表示する。第３の表示パネル４０４は、携帯電話器蓋部１０１において第１の表示パネル４に対して背中合わせに配置されており、撮像素子（図には現れていない）の撮影状況、メール受信情報、受信状況、電池残量、携帯電話器の情報を表示する。
第２の表示パネル５は、携帯電話器本体１０２が折りたたまれたときに内側になる面に実装され、入力ボタン画像５０４を表示する。そして、第２の表示パネル５はたとえば抵抗膜式のタッチパネルとなっており、第２の表示パネル５に表示された入力ボタン画像５０４に触れることによって従来のようにボタンを押したのと同等の結果が得られる。つまり、第１５の実施形態では、携帯電話器１００に物理的な入力ボタンがあるわけではなく、携帯電話器１００を開いたときに第２の表示パネル５に入力ボタン画像５０４が表示される。第４の表示パネル４０５は、特に限定しないが、たとえば携帯電話器本体１０２（携帯電話器蓋部１０１でもよい）の側部の面に実装されており、メールの着信件数やメール内容を表示する。
このような構成とすれば、第１の表示パネル４、第２の表示パネル５および第３の表示パネル４０４の表示内容に加えて、第４の表示パネル４０５にそれらと異なる情報を表示させることにより、表示可能な情報量が増えるので、より多様な使い方ができるという効果が得られる。また、第２の表示パネル５に入力ボタン画像５０４を携帯電話器１００の使用者の扱いやすいように表示させる機能を持たせることによって、携帯電話器１００の使い勝手が向上する。具体的には、たとえば携帯電話器１００の使用者が右手で携帯電話器１００を持った状態で右手の親指で入力ボタン画像５０４に触れる（つまり、ボタンを押す）動作をする人である場合には、第２の表示パネル５に入力ボタン画像５０４を第２の表示パネル５の中心よりも右手親指寄りに表示させる。左手で持った携帯電話器１００の入力ボタン画像５０４に左手の親指で触れる場合には、入力ボタン画像５０４を左手親指寄りに表示させればよい。
以上において本発明は、上述した各実施の形態に限らず、種々変更可能である。たとえば、上述した各実施の形態において、薄膜トランジスターとしてアモルファスシリコン（ａ−Ｓｉ）膜からなる薄膜トランジスターを用いることもできるし、ポリシリコン膜からなる薄膜トランジスターを用いることもできる。
また、本発明の表示パネルの構成を２端子型のスイッチング素子を有するアクティブマトリクス型液晶表示パネルに利用することも当然可能である。２端子型のスイッチング素子としては、ＭＩＭ素子、アモルファスシリコンダイオード素子、バリスタ素子等がある。各画素部には、２端子型のスイッチング素子を設け、パネル間スイッチング素子に３端子型のスイッチング素子を用いることも当然可能である。さらに、各画素部には、２端子型のスイッチング素子を設け、パネル間スイッチング素子と保護素子に３端子型のスイッチング素子を用いることも当然可能である。有機ＬＥＤ表示パネルについても同様である。
さらに、第１〜第５の実施の形態では、バックライトユニットを有する液晶表示装置（携帯電話器）の構成に関して説明をおこなったが、第１の表示パネル４あるいは第２の表示パネル５の少なくとも一方の液晶表示パネルにフロント照明を採用する構成においても本願発明の一部は有効である。
また上述した各実施の形態では、第１の表示パネル４と第２の表示パネル５の２個の表示パネルに関して説明したが、さらに複数の表示パネルを第１の表示パネル４に実装する駆動回路部で駆動することが可能である。すなわち、第１の表示パネル４と第２の表示パネル５間を接続するパネル間ＦＰＣを第２の表示パネル５と第３の表示パネルの間に採用する。あるいは、第１の表示パネル４と第２の表示パネル５の間に設けるパネル間ＦＰＣに第１の表示パネル４と第３の表示パネル間を接続するパネル間ＦＰＣ上電極を設ける構成である。
本発明によれば、第１の表示パネルの表示内容、あるいは第２の表示パネルの表示内容に依存することなく、表示品質が良好であり、また消費電力が小さく、さらに静電気に対する保護を備えており、第１の表示パネルと第２の表示パネルを第１の表示パネル４に接続する駆動回路部により駆動をおこなう表示装置が得られる。
また、本発明によれば、一方の表示パネルが液晶表示パネルであり、もう一方の表示パネルが有機ＬＥＤ表示パネルであっても、同じ駆動回路部により両方の表示パネルの駆動をおこなう表示装置が得られる。さらに、一方の表示パネルがアクティブマトリクス方式の表示パネルであり、もう一方の表示パネルがパッシブマトリクス方式の表示パネルであっても、同じ駆動回路部により両方の表示パネルの駆動をおこなう表示装置が得られる。
また、本発明は、以下の（１）〜（１５）に示すような特徴を備えていてもよい。
（１）  第１の基板と第２の基板の間隙に液晶層を有し、該第１の基板上に設ける表示電極と、第２の基板上に設ける第２の電極からなる対向電極との重なり部を画素部とし、該表示電極は、スイッチング素子を介して第１の電極あるいは第３の電極と接続し、さらに、第１の基板には、該画素部に所定の表示信号を印加する駆動回路部を実装する液晶表示パネルよりなる第１の表示パネルと、第３の基板と第４の基板の間隙に液晶層を有し、該第３の基板上に設ける表示電極と、第４の基板上に設ける対向電極との重なり部を画素部とし、該表示電極は、スイッチング素子を介して第４の電極あるいは第６の電極と接続する液晶表示パネルよりなる第２の表示パネルを有し、第２の表示パネルの第４の電極、あるいは第６の電極は、パネル間相互接続部材を介して、第１の基板上に設ける第１の電極、あるいは第３の電極と接続する構成を有すること。
（２）  第１の基板と第２の基板の間隙に液晶層を有し、該第１の基板上に設ける表示電極と、第２の基板上に設ける第２の電極からなる対向電極との重なり部を画素部とし、該表示電極は、スイッチング素子を介して第１の電極あるいは第３の電極と接続し、さらに、第１の基板には、該画素部に所定の表示信号を印加する駆動回路部を実装する液晶表示パネルよりなる第１の表示パネルと、第３の基板と第４の基板の間隙に液晶層を有し、該第３の基板上に設ける表示電極と、第４の基板上に設ける対向電極との重なり部を画素部とし、該表示電極は、スイッチング素子を介して第４の電極あるいは第６の電極と接続する液晶表示パネルよりなる第２の表示パネルを有し、第２の表示パネルの第４の電極は、第１の表示パネルの第１の電極の少なくとも一部とパネル間相互接続部材を介して接続し、第２の表示パネルの第６の電極は、第１の表示パネルの第３の電極の少なくとも一部とパネル間相互接続部材を介して接続する構成を有すること。
（３）  第１の基板と第２の基板の間隙に液晶層を有し、該第１の基板上に設ける表示電極と、第２の基板上に設ける第２の電極からなる対向電極との重なり部を画素部とし、該表示電極は、スイッチング素子を介して第１の電極あるいは第３の電極と接続し、さらに、第１の基板には、該画素部に所定の表示信号を印加する駆動回路部を実装する液晶表示パネルよりなる第１の表示パネルと、第３の基板と第４の基板の間隙に液晶層を有し、該第３の基板上に設ける表示電極と、第４の基板上に設ける対向電極との重なり部を画素部とし、該表示電極は、スイッチング素子を介して第４の電極あるいは第６の電極と接続する液晶表示パネルよりなる第２の表示パネルを有し、第２の表示パネルの第４の電極は、第１の表示パネルの第１の電極の少なくとも一部とパネル間相互接続部材を介して接続し、第２の表示パネルの第６の電極は、第１の表示パネルの第３の電極の少なくとも一部とパネル間相互接続部材を介して接続し、第１の表示パネルの第１の電極数に比較し、第２の表示パネルの第４の電極数が多く、第１の表示パネルの第３の電極数に比較し、第２の表示パネルの第６の電極数が多く、該第４の電極と該第６の電極の一部は、該駆動回路部から第１の表示パネルの表示領域の画素部を通過することなく、第２の表示パネルに接続する構成を有すること。
（４）  前記（１）〜（３）において、前記第１の表示パネルと第２の表示パネルとは、お互いに重なり合い、さらに、第１の基板と第３の基板とがほぼ平行してなること。
（５）  前記（１）〜（３）において、前記第１の基板上には、前記第１の基板上に設ける駆動回路部に所定の信号を印加する駆動回路接続部材を有すること。
（６）  前記（１）〜（３）において、前記駆動回路接続部材と前記パネル間相互接続部材とは、一体構造であること。
（７）  前記（１）〜（３）において、前記第１の基板あるいは、第２の基板の少なくとも一方には、第１の表示パネルに設ける第１の電極と第２の表示パネルに設ける第４の電極との間には、第２の表示パネルへの信号を印加、あるいは非印加を制御するパネル間スイッチング素子を有すること。
（８）  前記（１）〜（３）において、前記第１の基板あるいは、第２の基板の少なくとも一方には、第１の表示パネルに設ける、第１の電極と第２の表示パネルに設ける第４の電極との間には、第２の表示パネルへの信号を印加、あるいは非印加を制御するパネル間スイッチング素子を有し、さらに、前記第１の基板あるいは、第２の基板の少なくとも一方には、第１の表示パネルに設ける、第３の電極と第２の表示パネルに設ける第６の電極との間には、第２の表示パネルへの信号を印加、あるいは非印加を制御するパネル間スイッチング素子を有すること。
（９）  前記（６）または（８）において、前記第１の基板上には、前記スイッチング素子と、電極に発生する静電気を分散する保護スイッチング素子とを有すること。
（１０）  前記（１）〜（３）において、前記第２の基板上に設ける、第４の電極、あるいは第６の電極の少なくとも一方は、第１の基板上に設ける駆動回路部より、第１の表示パネルを構成する液晶層と表示領域の外周部を迂回する迂回電極を介して、接続すること。
（１１）  前記（１）〜（３）において、第１の基板に実装する前記駆動回路部は、チップ・オン・ガラス実装法により、第１の基板上に実装すること。
（１２）  前記（１）〜（３）において、第１の表示パネルと第２の表示パネルの間には、バックライトユニット部を有すること。
（１３）  前記（１２）において、第１の表示パネルと第２の表示パネルの間には、バックライトユニット部を有し、さらに、バックライトユニット部を構成する導光板は、１個であること。
（１４）  前記（１２）において、前記導光板は、第１の表示パネルあるいは第２の表示パネルの少なくとも一方と接着部材にて接着していること。
（１５）  第１の電気光学表示媒体、該第１の電気光学表示媒体へ駆動信号を供給するための複数の電極線よりなる第１の電極線群、および前記第１の電気光学表示媒体への駆動信号の供給を制御するアクティブ素子を備えた第１の表示パネルと、第２の電気光学表示媒体、および該第２の電気光学表示媒体へ駆動信号を供給するための複数の電極線よりなる第２の電極線群を備えた第２の表示パネルと、前記第１の表示パネルと前記第２の表示パネルとを接続する接続部材と、を具備し、前記第２の電極線群に含まれる一部または全部の電極線は、前記接続部材を介して前記第１の電極線群の電極線に接続していること。
【産業上の利用可能性】  以上のように、本発明にかかる表示装置は、複数の表示パネルを有する表示装置を低消費電力で駆動するのに有用であり、特に、複数の表示パネルを備えた携帯電話器やＰＤＡ等の携帯情報機器に搭載する表示装置に適している。
【図１】
2004029918.tif 000003
【図２】
2004029918.tif 000004
【図３】
2004029918.tif 000005
【図４】
2004029918.tif 000006
【図５】
2004029918.tif 000007
【図６】
2004029918.tif 000008
【図７】
2004029918.tif 000009
【図８】
2004029918.tif 000010
【図９】
2004029918.tif 000011
【図１０】
2004029918.tif 000012
【図１１】
2004029918.tif 000013
【図１２】
2004029918.tif 000014
【図１３】
2004029918.tif 000015
【図１４】
2004029918.tif 000016
【図１５】
2004029918.tif 000017
【図１６】
2004029918.tif 000018
【図１７】
2004029918.tif 000019
【図１８】
2004029918.tif 000020
【図１９】
2004029918.tif 000021
【図２０】
2004029918.tif 000022
【図２１】
2004029918.tif 000023
【図２２】
2004029918.tif 000024
【図２３】
2004029918.tif 000025
【図２４】
2004029918.tif 000026
【図２５】
2004029918.tif 000027
【図２６】
2004029918.tif 000028
【図２７】
2004029918.tif 000029
【図２８】
2004029918.tif 000030
【図２９】
2004029918.tif 000031
【図３０】
2004029918.tif 000032
【図３１】
2004029918.tif 000033
【図３２】
2004029918.tif 000034
【図３３】
2004029918.tif 000035
【図３４】
2004029918.tif 000036
【図３５】
2004029918.tif 000037
【図３６】
2004029918.tif 000038
【図３７】
2004029918.tif 000039
【図３８】
2004029918.tif 000040
【図３９】
2004029918.tif 000041
【図４０】
2004029918.tif 000042
【図４１】
2004029918.tif 000043
【国際調査報告】
2004029918.tif 000044
2004029918.tif 000045
2004029918.tif 000046
2004029918.tif 000047